(57)【要約】【課題】キャリアアグリゲーションを行う移動通信システムにおいて、ユーザ装置がバンドコンビネーションの能力情報を基地局に通知する際に、当該ユーザ装置がサポートする所定の能力値の最大値を基地局に通知するか否かを適切に判定する。【解決手段】キャリアアグリゲーションをサポートする移動通信システムにおいて基地局と通信を行うユーザ装置において、前記ユーザ装置が、当該ユーザ装置において使用可能なバンドコンビネーションの能力情報に含まれる所定の能力値の合計値をサポートするか否かを判定する能力情報通知制御部と、前記能力情報通知制御部により、前記ユーザ装置が前記所定の能力値の合計値をサポートしないと判定された場合に、前記ユーザ装置がサポートする前記所定の能力値の最大値を前記能力情報に含め、当該最大値を含む能力情報を前記基地局に送信する送信部とを備える。【選択図】図２２
2016197851.tif 000002
【特許請求の範囲】
【請求項１】
キャリアアグリゲーションをサポートする移動通信システムにおいて基地局と通信を行うユーザ装置であって、
前記ユーザ装置が、当該ユーザ装置において使用可能なバンドコンビネーションの能力情報に含まれる所定の能力値の合計値をサポートするか否かを判定する能力情報通知制御部と、
前記能力情報通知制御部により、前記ユーザ装置が前記所定の能力値の合計値をサポートしないと判定された場合に、前記ユーザ装置がサポートする前記所定の能力値の最大値を前記能力情報に含め、当該最大値を含む能力情報を前記基地局に送信する送信部と
を備えるユーザ装置。
【請求項２】
前記能力情報通知制御部により、前記ユーザ装置が前記所定の能力値の合計値をサポートすると判定された場合に、前記送信部は前記最大値を含まない能力情報を前記基地局に送信する
請求項１に記載のユーザ装置。
【請求項３】
前記能力情報通知制御部は、前記合計値と前記最大値とを比較し、前記合計値が前記最大値よりも大きい場合に、前記ユーザ装置が前記所定の能力値の合計値をサポートしないと判定し、前記合計値が前記最大値以下である場合に、前記ユーザ装置が前記所定の能力値の合計値をサポートすると判定する
請求項１又は２に記載のユーザ装置。
【請求項４】
前記能力情報通知制御部は、前記ユーザ装置がサポートするバンドコンビネーション毎に前記判定を行い、前記送信部は、前記ユーザ装置がサポートするバンドコンビネーション毎に前記最大値を能力情報に含めるか否かを決定する
請求項１ないし３のうちいずれか１項に記載のユーザ装置。
【請求項５】
前記所定の能力値は、上りのＭＩＭＯレイヤ数、下りのＭＩＭＯレイヤ数、ＣＳＩプロセス数、又は下りのＭＩＭＯレイヤ数とＣＳＩプロセス数の総数である
請求項１ないし４のうちいずれか１項に記載のユーザ装置。
【請求項６】
前記能力情報通知制御部は、前記バンドコンビネーションを構成するバンドのバンド幅クラスにより定まる最大コンポーネントキャリア数を、当該バンドにおける前記所定の能力値に掛けた値を、当該バンドにおける所定の能力値の合計値とする
請求項１ないし５のうちいずれか１項に記載のユーザ装置。
【請求項７】
前記所定の能力値は、下りのＭＩＭＯレイヤ数と第一の係数とを乗算した値と、ＣＳＩプロセス数と第二の係数とを乗算した値と、ＮＡＩＣＳ対応能力と第三の係数とを乗算した値を合計することで算出される
請求項１ないし４のうちいずれか１項に記載のユーザ装置。
【請求項８】
前記能力情報は、前記第一の係数と、前記第二の係数と、前記第三の係数とを含む
請求項７に記載のユーザ装置。
【請求項９】
キャリアアグリゲーションをサポートする移動通信システムにおいて基地局と通信を行うユーザ装置が実行する能力情報通知方法であって、
前記ユーザ装置が、当該ユーザ装置において使用可能なバンドコンビネーションの能力情報に含まれる所定の能力値の合計値をサポートするか否かを判定するステップと、
前記ステップにより、前記ユーザ装置が前記所定の能力値の合計値をサポートしないと判定された場合に、前記ユーザ装置がサポートする前記所定の能力値の最大値を前記能力情報に含め、当該最大値を含む能力情報を前記基地局に送信するステップと
を備える能力情報通知方法。
【発明の詳細な説明】
【技術分野】
【０００１】
本発明は、ＬＴＥ等の移動通信システムにおけるユーザ装置ＵＥが、基地局ｅＮＢに自身の能力情報を通知する技術に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
キャリアアグリゲーションは、ＣＣの周波数配置により図１（ａ）〜（ｃ）に示すように３つのシナリオに分類される。図１（ａ）は、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１（ｂ）は、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１（ｃ）は、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。
【０００４】
一方、ＬＴＥ（ＬＴＥ−Ａｄｖａｎｃｅｄを含む）システムにおいては、ユーザ装置ＵＥは、例えばネットワークへの接続時等に、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（例えば非特許文献１）。
【０００５】
上記の能力情報の通知において、ユーザ装置ＵＥは、自身がＣＡにおいてサポートするバンドの組み合わせ（ＣＡバンドコンビネーション、ＣＡ  ｂａｎｄ  ｃｏｍｂｉｎａｔｉｏｎ）を基地局ｅＮＢに通知する。また、ユーザ装置ＵＥが複数種類のＣＡバンドコンビネーションに対応できる場合、ユーザ装置ＵＥは、対応する全てのＣＡバンドコンビネーションのパターンを基地局ｅＮＢに通知する。
【０００６】
ＣＡバンドコンビネーションを通知するメッセージの構造例を図２に示す。図２に示すように、当該メッセージにて、ＵＬ／ＤＬ個別にバンドコンビネーション毎、バンド毎にＣＡ  ｂａｎｄｗｉｄｔｈｃｌａｓｓとＭＩＭＯレイヤ数を通知可能になっている。また、図２に示されていないが、ＤＬについては、バンドコンビネーション毎、バンド毎に、ＵＥが設定可能なＣＳＩ（Ｃｈａｎｎｅｌ  Ｓｔａｔｅ  Ｉｎｆｏｒｍａｔｉｏｎ）プロセス数（ｓｕｐｐｏｒｔｅｄＣＳＩ−Ｐｒｏ）を通知できる。なお、ＣＳＩプロセス数とは、ＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）を適用する場合において、ユーザ装置ＵＥが使用するＣＳＩプロセスの数である。
【０００７】
図２に示されるＣＡ  ｂａｎｄｗｉｄｔｈｃｌａｓｓ（ＣＡ帯域幅クラス）とは、例えば図３の表（非特許文献２）により定義されるクラスであり、周波数バンド毎に、ユーザ装置ＵＥでアグリゲート可能な帯域幅、ＣＣ数等を示す。
【先行技術文献】
【非特許文献】
【０００８】
【非特許文献１】３ＧＰＰ  ＴＳ  ３６．３３１  Ｖ１１．５．０  （２０１３−０９）
【非特許文献２】３ＧＰＰ  ＴＳ  ３６．１０１  Ｖ１２．２．０  （２０１３−１２）
【非特許文献３】３ＧＰＰ  Ｒ２−１４５１６３
【非特許文献４】３ＧＰＰ  Ｒ２−１５０４６６
【発明の概要】
【発明が解決しようとする課題】
【０００９】
上記のように、ユーザ装置ＵＥは、自身がサポートするＭＩＭＯレイヤ数／ＣＳＩプロセス数を能力情報として基地局ｅＮＢに通知できる。ここで、ユーザ装置ＵＥのＭＩＭＯレイヤ数は、ＵＬとＤＬのそれぞれで、ＣＣ毎に設定される。また、ユーザ装置ＵＥのＣＳＩプロセス数は、ＤＬのＣＣ毎に設定される。
【００１０】
一方、ユーザ装置ＵＥにおけるＭＩＭＯレイヤ数／ＣＳＩプロセス数の能力はバンド毎に基地局ｅＮＢに通知される。例えば、図４の（ａ）のＩｎｔｅｒ−ｂａｎｄ  ＣＡのケースでは、バンド１９（クラスＡ）でＤＬ  ＭＩＭＯレイヤ数２が通知され、バンド１（クラスＡ）でＤＬ  ＭＩＭＯレイヤ数４が通知される。また、図４の（ｂ）のＩｎｔｒａ−ｂａｎｄ  ｎｏｎ−ｃｏｎｔｉｇｕｏｕｓ  ＣＡのケースでは、一つのバンド３（クラスＡ）における通知でＤＬ  ＭＩＭＯレイヤ数２が通知され、もう１つのバンド３（クラスＡ）の通知でＤＬ  ＭＩＭＯレイヤ数４が通知される。また、図４の（ｃ）のＩｎｔｒａ−ｂａｎｄ  ｃｏｎｔｉｇｕｏｕｓ  ＣＡのケースでは、バンド４２（クラスＣ）においてＤＬ  ＭＩＭＯレイヤ数４が通知される。図４（ａ）〜（ｃ）は、ＤＬ  ＭＩＭＯレイヤ数を示しているが、ＵＬ  ＭＩＭＯレイヤ数、及びＣＳＩプロセス数についても同様である。
【００１１】
上記のように、Ｉｎｔｅｒ−ｂａｎｄ  ＣＡのケースとＩｎｔｒａ−ｂａｎｄ  ｎｏｎ−ｃｏｎｔｉｇｕｏｕｓ  ＣＡのケースでは、クラスがＡであるため、１つのバンドが１つのＣＣにマッピングされる。従って、バンド毎にＭＩＭＯレイヤ数／ＣＳＩプロセス数の能力を通知することで、ＣＣ毎のＭＩＭＯレイヤ数／ＣＳＩプロセス数の能力を通知できる。
【００１２】
しかし、Ｉｎｔｒａ−ｂａｎｄ  ｃｏｎｔｉｇｕｏｕｓ  ＣＡの場合、１つのバンドで複数ＣＣが使用されるが、当該１つのバンドに対応する１つのＭＩＭＯレイヤ数／ＣＳＩプロセス数しか通知できない。そこで、当該１つのＭＩＭＯレイヤ数／ＣＳＩプロセス数は、Ｉｎｔｒａ−ｂａｎｄ  ｃｏｎｔｉｇｕｏｕｓ  ＣＡを構成する各ＣＣに対応する能力であると解釈される。
【００１３】
上記のようにＩｎｔｒａ−ｂａｎｄ  ｃｏｎｔｉｇｕｏｕｓ  ＣＡの能力情報通知では、ＣＣ毎に能力値を通知できないという課題に対し、非特許文献３では、Ｉｎｔｒａ−ｂａｎｄ  ｃｏｎｔｉｇｕｏｕｓ  ＣＡにおいて新たにＢａｎｄｗｉｄｔｈ  ｃｌａｓｓを規定することが提案されている。また、非特許文献４では、Ｉｎｔｒａ−ｂａｎｄ  ｃｏｎｔｉｇｕｏｕｓ  ＣＡのバンドコンビネーションに対して、ＣＣ毎にＵＥがサポートするＭＩＭＯレイヤ数／ＣＳＩプロセス数と、ＵＥがＣＣ全体でサポートするＭＩＭＯレイヤ数／ＣＳＩプロセス数の最大値を能力情報のシグナリングに追加することが提案されている。
【００１４】
ＭＩＭＯレイヤ数／ＣＳＩプロセス数の最大値を通知することに関して、ユーザ装置ＵＥが、各ＣＣにおけるＭＩＭＯレイヤ数／ＣＳＩプロセス数の合計値をサポートする能力を有するのであれば、ＵＥがサポートするＭＩＭＯレイヤ数／ＣＳＩプロセス数の最大値を基地局ｅＮＢに通知することは不要である。例えば、図４（ａ）のケースにおいて、各バンド（クラスＡなのでＣＣと同義）のＭＩＭＯレイヤ数の合計は６である。この場合、ユーザ装置ＵＥが、ＭＩＭＯレイヤ数として全部で８レイヤまで処理できる能力を持っている場合には、当該８レイヤを基地局ｅＮＢに通知することは不要である。しかし、例えば、ユーザ装置ＵＥが、ＭＩＭＯレイヤ数として全部で４レイヤまでしか処理できない場合、当該４レイヤを基地局ｅＮＢに通知することが必要である。当該４レイヤを基地局ｅＮＢに通知しなければ、基地局ｅＮＢが、全部で６レイヤになるＣＡ／ＭＩＭＯをユーザ装置ＵＥに設定する可能性があり、その場合、６レイヤの能力を持たないユーザ装置ＵＥが適切に動作できない可能性がある。
【００１５】
上記のように、全ての場合でＭＩＭＯレイヤ数／ＣＳＩプロセス数の最大値を基地局ｅＮＢに通知する必要はない。最大値を通知する必要がないにも関わらず、最大値の通知を行うことでシグナリング量が増加してしまうという問題がある。この問題は、ＭＩＭＯレイヤ数／ＣＳＩプロセス数以外の能力値に関しても生じ得る問題である。
【００１６】
本発明は上記の点に鑑みてなされたものであり、キャリアアグリゲーションを行う移動通信システムにおいて、ユーザ装置がバンドコンビネーションの能力情報を基地局に通知する際に、当該ユーザ装置がサポートする所定の能力値の最大値を基地局に通知するか否かを適切に判定する技術を提供することを目的とする。
【課題を解決するための手段】
【００１７】
本発明の実施の形態によれば、キャリアアグリゲーションをサポートする移動通信システムにおいて基地局と通信を行うユーザ装置であって、
前記ユーザ装置が、当該ユーザ装置において使用可能なバンドコンビネーションの能力情報に含まれる所定の能力値の合計値をサポートするか否かを判定する能力情報通知制御部と、
前記能力情報通知制御部により、前記ユーザ装置が前記所定の能力値の合計値をサポートしないと判定された場合に、前記ユーザ装置がサポートする前記所定の能力値の最大値を前記能力情報に含め、当該最大値を含む能力情報を前記基地局に送信する送信部と
を備えるユーザ装置が提供される。
【００１８】
また、本発明の実施の形態によれば、キャリアアグリゲーションをサポートする移動通信システムにおいて基地局と通信を行うユーザ装置が実行する能力情報通知方法であって、
前記ユーザ装置が、当該ユーザ装置において使用可能なバンドコンビネーションの能力情報に含まれる所定の能力値の合計値をサポートするか否かを判定するステップと、
前記ステップにより、前記ユーザ装置が前記所定の能力値の合計値をサポートしないと判定された場合に、前記ユーザ装置がサポートする前記所定の能力値の最大値を前記能力情報に含め、当該最大値を含む能力情報を前記基地局に送信するステップと
を備える能力情報通知方法が提供される。
【発明の効果】
【００１９】
発明の実施の形態によれば、キャリアアグリゲーションを行う移動通信システムにおいて、ユーザ装置がバンドコンビネーションの能力情報を基地局に通知する際に、当該ユーザ装置がサポートする所定の能力値の最大値を基地局に通知するか否かを適切に判定することが可能となる。
【図面の簡単な説明】
【００２０】
【図１】キャリアアグリゲーションの周波数配置例を示す図である。
【図２】ＣＡバンドコンビネーション情報を通知するメッセージの構造例を示す図である。
【図３】ＣＡ−ＢａｎｄｗｉｄｔｈＣｌａｓｓを示す表である。
【図４】課題を説明するための図である。
【図５】本発明の実施の形態に係る通信システムの構成図である。
【図６】本発明の実施の形態に係る通信システムの動作を示すシーケンス図である。
【図７】第一の実施の形態においてユーザ装置ＵＥが基地局ｅＮＢに通知する能力情報の例を説明するための図である。
【図８】第一の実施の形態においてユーザ装置ＵＥが基地局ｅＮＢに通知する能力情報の例を説明するための図である。
【図９】第一の実施の形態においてユーザ装置ＵＥが基地局ｅＮＢに通知する能力情報の例を説明するための図である。
【図１０】第一の実施の形態においてユーザ装置ＵＥが基地局ｅＮＢに通知する能力情報の例を説明するための図である。
【図１１】第一の実施の形態におけるＲＲＣメッセージの例を示す図である。
【図１２】第一の実施の形態におけるＲＲＣメッセージの例を示す図である。
【図１３】第二の実施の形態においてユーザ装置ＵＥが基地局ｅＮＢに通知する能力情報の例を説明するための図である。
【図１４】第二の実施の形態においてユーザ装置ＵＥが基地局ｅＮＢに通知する能力情報の例を説明するための図である。
【図１５】第二の実施の形態においてユーザ装置ＵＥが基地局ｅＮＢに通知する能力情報の例を説明するための図である。
【図１６】第二の実施の形態においてユーザ装置ＵＥが基地局ｅＮＢに通知する能力情報の例を説明するための図である。
【図１７】第二の実施の形態においてユーザ装置ＵＥが基地局ｅＮＢに通知する能力情報の例を説明するための図である。
【図１８】第二の実施の形態においてユーザ装置ＵＥが基地局ｅＮＢに通知する能力情報の例を説明するための図である。
【図１９】第二の実施の形態においてユーザ装置ＵＥが基地局ｅＮＢに通知する能力情報の例を説明するための図である。
【図２０】第二の実施の形態においてユーザ装置ＵＥが基地局ｅＮＢに通知する能力情報の例を説明するための図である。
【図２１】第二の実施の形態においてユーザ装置ＵＥが基地局ｅＮＢに通知する能力情報の例を説明するための図である。
【図２２】ユーザ装置ＵＥの構成図である。
【図２３】基地局ｅＮＢの構成図である。
【図２４】ユーザ装置ＵＥの動作例を示すフローチャートである。
【図２５】ユーザ装置ＵＥのハードウェア構成例を示す図である。
【図２６】基地局ｅＮＢのハードウェア構成例を示す図である。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の方式にも適用可能である。
【００２２】
また、本実施の形態におけるＣＡ（キャリアアグリゲーション）は、Ｉｎｔｒａ−ｅＮＢ  ＣＡのみならず、ＤＣ（Ｄｕａｌ  ｃｏｎｎｅｃｔｉｖｉｔｙ）のようなＩｎｔｅｒ−ｅＮＢ  ＣＡも含む。また、本発明は、Ｉｎｔｅｒ−ｂａｎｄ  ＣＡ、Ｉｎｔｒａ−ｂａｎｄ  ｎｏｎ−ｃｏｎｔｉｇｕｏｕｓ  ＣＡ、及びＩｎｔｒａ−ｂａｎｄ  ｃｏｎｔｉｇｕｏｕｓ  ＣＡのいずれにも適用可能である。
【００２３】
（システム全体構成、動作概要）
図５に本発明の実施の形態に係る通信システムの構成図を示す。本実施の形態に係る通信システムは、ＬＴＥ方式の通信システムであり、図５に示すように、ユーザ装置ＵＥ、及び基地局ｅＮＢを含む。基地局ｅＮＢは、例えば遠隔にＲＲＥ（遠隔無線装置）を接続しており、スモールセルとマクロセルを形成可能である。ユーザ装置ＵＥ、及び基地局ｅＮＢは、ＣＡを行うことが可能である。図５には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００２４】
図６を参照して図５に示す通信システムの基本的な動作を説明する。図６に示すように、ユーザ装置ＵＥは、ステップ１０１で基地局ｅＮＢから送信されるＵＥ能力情報要求（例：ＵＥ  ｃａｐａｂｉｌｉｔｙ  ｅｎｑｕｉｒｙ）を受信する。ユーザ装置ＵＥは、当該ＵＥ能力情報要求に基づいて、基地局ｅＮＢに対してＵＥ能力情報を送信する（ステップ１０２）。ＵＥ能力情報には、ＣＡバンドコンビネーション情報が含まれる。
【００２５】
なお、図６に示す通知方法は例であり、例えば、ユーザ装置ＵＥは、基地局ｅＮＢからＵＥ能力情報要求を受信することなくＵＥ能力情報を基地局ｅＮＢに通知してもよい。以下、本実施の形態の詳細を第一の実施の形態と第二の実施の形態に分けて説明する。
【００２６】
本実施の形態に係るユーザ装置ＵＥは、第一の実施の形態に係る方式と第二の実施の形態に係る方式の機能を備え、いずれの方式で送信を行うかを、例えばｅＮＢからの設定情報（ｃｏｎｆｉｇｕｒａｔｉｏｎ  ｉｎｆｏｒｍａｔｉｏｎ）により決定するようにしてもよい。ただし、これは例であり、ユーザ装置ＵＥは、第一の実施の形態に係る方式と第二の実施の形態に係る方式のうちいずれか１つのみの方式に対応していてもよい。
【００２７】
［第一の実施の形態］
（動作の詳細例）
以下、前述した課題を解決するための技術を詳細に説明する。以下では、ユーザ装置ＵＥから基地局ｅＮＢに能力情報として通知する所定の能力値としてＭＩＭＯレイヤ数とＣＳＩプロセス数を例に挙げるが、本発明を適用可能な所定の能力値はこれらに限られるわけではない。また、第一の実施の形態では、本発明をＭＩＭＯレイヤ数とＣＳＩプロセス数の両方に適用する例を示しているが、どちらか一方のみに本発明を適用し、他方は従来技術を適用することとしてもよい。以下では、ＭＩＭＯレイヤ数とＣＳＩプロセス数について、どちらにでも同様に適用できる場合については「ＭＩＭＯレイヤ数／ＣＳＩプロセス数」と記述する場合がある。
【００２８】
前述したように、従来技術（非特許文献４）では、ＣＡバンドコンビネーションの能力情報を基地局ｅＮＢに通知する際に、ユーザ装置ＵＥがサポートするＭＩＭＯレイヤ数／ＣＳＩプロセス数の最大値を通知する。しかし、最大値の通知が不要な場合にまで最大値を通知すると無駄なシグナリングが増加してしまう。そこで、第一の実施の形態では、特定の条件を満たす場合に、ユーザ装置ＵＥは、ＭＩＭＯレイヤ数／ＣＳＩプロセス数の最大値を能力情報に付加して基地局ｅＮＢに通知する。
【００２９】
つまり、ユーザ装置ＵＥは、当該ユーザ装置ＵＥにおいて使用可能なＣＡバンドコンビネーションの能力情報に含まれる各ＣＣのＭＩＭＯレイヤ数／ＣＳＩプロセス数の合計値を、当該ユーザ装置ＵＥがサポートするか否かを判定し、サポートしないと判定した場合にのみ、当該ＣＡバンドコンビネーションにおいて、当該ユーザ装置ＵＥがサポートするＭＩＭＯレイヤ数／ＣＳＩプロセス数の最大値を能力情報に含め、当該最大値を含む能力情報を基地局ｅＮＢに送信する。
【００３０】
ユーザ装置ＵＥがサポートするＭＩＭＯレイヤ数／ＣＳＩプロセス数の最大値とは、ユーザ装置ＵＥが該当ＣＡバンドコンビネーションにおけるＣＣ全体で使用できるＭＩＭＯレイヤ数／ＣＳＩプロセス数の最大値である。当該最大値は、ＣＡバンドコンビネーション毎に異なっていてもよいし、ＣＡバンドコンビネーション間で共通でもよい。より詳細には、ユーザ装置ＵＥは以下のような動作を実行する。
【００３１】
すなわち、ユーザ装置ＵＥは、あるＣＡバンドコンビネーションについて、当該ＣＡバンドコンビネーションの能力情報により通知する各ＣＣのＭＩＭＯレイヤ数の合計値と、当該ユーザ装置ＵＥがサポートするＭＩＭＯレイヤ数の最大値とを比較する。そして、合計値が最大値よりも大きい場合に、ユーザ装置ＵＥは、最大値をＣＡバンドコンビネーションの能力情報に含め、当該最大値を含む能力情報を基地局ｅＮＢに通知する。
【００３２】
合計値が最大値以下の場合、ユーザ装置ＵＥは、最大値をＣＡバンドコンビネーションの能力情報に含めずに、当該能力情報を基地局ｅＮＢに通知する。
【００３３】
ＣＡバンドコンビネーションの能力情報における各バンドがクラスＡであれば、各バンドに対応するＭＩＭＯレイヤ数の合計値が各ＣＣのＭＩＭＯレイヤ数の合計値となる。また、ＣＡバンドコンビネーションの能力情報におけるあるバンドのクラスがＡ以外のクラスであり、最大ＣＣ数が複数ＣＣである場合、当該バンドに関する各ＣＣのＭＩＭＯレイヤ数の合計値は、「当該バンドに対応するＭＩＭＯレイヤ数×最大ＣＣ数」である。なお、あるバンドに関する各ＣＣのＭＩＭＯレイヤ数の合計値が「当該バンドに対応するＭＩＭＯレイヤ数×最大ＣＣ数」であることは、最大ＣＣ数が１である場合にもあてはまる。
【００３４】
ユーザ装置ＵＥがサポートするＭＩＭＯレイヤ数の最大値は、例えば、ユーザ装置ＵＥが予め保持する情報である。
【００３５】
ＭＩＭＯ通信は、ＵＬ通信及びＤＬ通信のそれぞれで実行されるので、ＭＩＭＯレイヤ数に関する上記の処理はＤＬとＵＬのそれぞれで実行される。
【００３６】
一方、ＣＳＩプロセス数は、ＣｏＭＰのＤＬ通信に関する能力値であるため、ＤＬのみで以下の処理を行う。
【００３７】
すなわち、ユーザ装置ＵＥは、あるＣＡバンドコンビネーションについて、当該ＣＡバンドコンビネーションの能力情報により通知する各ＣＣ（ＤＬ  ＣＣ）のＣＳＩプロセス数の合計値と、当該ユーザ装置ＵＥがサポートするＣＳＩプロセス数の最大値とを比較する。そして、合計値が最大値よりも大きい場合に、ユーザ装置ＵＥは、最大値をＣＡバンドコンビネーションの能力情報に含め、当該最大値を含む能力情報を基地局ｅＮＢに通知する。
【００３８】
合計値が最大値以下の場合、ユーザ装置ＵＥは、最大値をＣＡバンドコンビネーションの能力情報に含めずに、当該能力情報を基地局ｅＮＢに通知する。
【００３９】
ＣＡバンドコンビネーションの能力情報における各バンドがクラスＡであれば、各バンドに対応するＣＳＩプロセス数の合計値が各ＣＣのＣＳＩプロセス数の合計値となる。また、ＣＡバンドコンビネーションの能力情報におけるあるバンドのクラスがＡ以外のクラスであり、最大ＣＣ数が複数ＣＣである場合、当該バンドに関する各ＣＣのＣＳＩプロセス数の合計値は、「当該バンドに対応するＣＳＩプロセス数×最大ＣＣ数」である。なお、あるバンドに関する各ＣＣのＣＳＩプロセス数の合計値が「当該バンドに対応するＣＳＩプロセス数×最大ＣＣ数」であることは、最大ＣＣ数が１である場合にもあてはまる。
【００４０】
ユーザ装置ＵＥがサポートするＣＳＩプロセス数の最大値は、例えば、ユーザ装置ＵＥが予め保持する情報である。
【００４１】
また、ＤＬ  ＭＩＭＯレイヤ数とＣＳＩプロセス数との合計値について同様の処理を行うこととしてもよい。すなわち、ユーザ装置ＵＥは、あるＣＡバンドコンビネーションについて、当該ＣＡバンドコンビネーションの能力情報により通知する各ＣＣ（ＤＬ  ＣＣ）のＤＬ  ＭＩＭＯレイヤ数の合計値と、当該ＣＡバンドコンビネーションの能力情報により通知する各ＣＣ（ＤＬ  ＣＣ）のＣＳＩプロセス数の合計値との和（合計値）と、当該ユーザ装置ＵＥがサポートするＤＬ  ＭＩＭＯレイヤ数とＣＳＩプロセス数の合計（総数）の最大値とを比較する。そして、合計値が最大値よりも大きい場合に、ユーザ装置ＵＥは、最大値をＣＡバンドコンビネーションの能力情報に含め、当該最大値を含む能力情報を基地局ｅＮＢに通知する。
【００４２】
合計値が最大値以下の場合、ユーザ装置ＵＥは、最大値をＣＡバンドコンビネーションの能力情報に含めずに、当該能力情報を基地局ｅＮＢに通知する。
【００４３】
なお、ＤＬ  ＭＩＭＯレイヤ数とＣＳＩプロセス数の合計（総数）の最大値は、例えば、ユーザ装置ＵＥが予め保持する情報である。
【００４４】
＜具体例＞
以下、図７〜図１０を参照して、ユーザ装置ＵＥが基地局ｅＮＢに通知するＣＡバンドコンビネーションの能力情報の例をより具体的に説明する。
【００４５】
図７は、バンド１９（クラスＡ）とバンド１（クラスＡ）のＤＬのＣＡコンビネーションの能力情報の例を示す。図７の左側に示すように、ユーザ装置ＵＥにおいてＤＬ  ＭＩＭＯレイヤ数最大値＝６、ＣＳＩプロセス数最大値＝６である場合において、ＤＬバンド／クラス＝１９Ａに対し、ＤＬ  ＭＩＭＯレイヤ数＝４、ＣＳＩプロセス数＝４であり、ＤＬバンド／クラス＝１Ａに対し、ＤＬ  ＭＩＭＯレイヤ数＝４、ＣＳＩプロセス数＝４であるものとする。
【００４６】
この場合、当該ＣＡバンドコンビネーションにおける各ＣＣのＤＬ  ＭＩＭＯレイヤ数の合計値が８であり、また、各ＣＣのＣＳＩプロセス数の合計値が８であり、いずれもＵＥがサポートできる最大値（６）よりも大きい。従って、この場合、ＤＬ  ＭＩＭＯレイヤ数最大値＝６、ＣＳＩプロセス数最大値＝６を能力情報に含めて、基地局ｅＮＢに通知する。
【００４７】
ＤＬ  ＭＩＭＯレイヤ数最大値＝６、及びＣＳＩプロセス数最大値＝６を受信した基地局ｅＮＢは、例えば、ユーザ装置ＵＥに対してバンド１９（クラスＡ）とバンド１（クラスＡ）のＣＡコンビネーションのＣＡの設定（ｃｏｎｆｉｇｕｒａｔｉｏｎ）を行う際に、ＵＥに設定するＭＩＭＯレイヤ数の合計値が最大値６を超えず、また、ＵＥに設定するＣＳＩプロセス数の合計値が最大値６を超えないようにする。
【００４８】
図７の右側の例では、ユーザ装置ＵＥにおいてＤＬ  ＭＩＭＯレイヤ数最大値＝８、ＣＳＩプロセス数最大値＝８であり、ＤＬバンド／クラス＝１９Ａに対し、ＤＬ  ＭＩＭＯレイヤ数＝４、ＣＳＩプロセス数＝４であり、ＤＬバンド／クラス＝１Ａに対し、ＤＬ  ＭＩＭＯレイヤ数＝４、ＣＳＩプロセス数＝４である。
【００４９】
この場合、各ＣＣのＤＬ  ＭＩＭＯレイヤ数の合計値が８であり、また、各ＣＣのＣＳＩプロセス数の合計値が８であり、いずれもＵＥがサポートできる最大値（８）と同じである。従って、この場合、ＤＬ  ＭＩＭＯレイヤ数最大値＝８、ＣＳＩプロセス数最大値＝８を能力情報に含めずに、能力情報を基地局ｅＮＢに通知する。
【００５０】
図８は、バンド１９（クラスＡ）とバンド２１（クラスＡ）のＵＬのＣＡコンビネーションの能力情報の例を示す。この場合、ＵＬなので、ＣＳＩプロセス数の能力情報は含まれない。図８の左側に示すように、ユーザ装置ＵＥにおいてＵＬ  ＭＩＭＯレイヤ数最大値＝４である場合において、ＵＬバンド／クラス＝１９Ａに対し、ＵＬ  ＭＩＭＯレイヤ数＝４であり、ＵＬバンド／クラス＝２１Ａに対し、ＵＬ  ＭＩＭＯレイヤ数＝２であるものとする。
【００５１】
この場合、各ＣＣのＵＬ  ＭＩＭＯレイヤ数の合計値が６であり、ＵＥがサポートできる最大値（４）よりも大きい。従って、この場合、ＵＬ  ＭＩＭＯレイヤ数最大値＝４を能力情報に含めて、基地局ｅＮＢに通知する。
【００５２】
図８の右側の例では、ユーザ装置ＵＥにおいてＵＬ  ＭＩＭＯレイヤ数最大値＝６であり、ＵＬバンド／クラス＝１９Ａに対し、ＵＬ  ＭＩＭＯレイヤ数＝４であり、ＵＬバンド／クラス＝２１Ａに対し、ＵＬ  ＭＩＭＯレイヤ数＝２である。
【００５３】
この場合、各ＣＣのＵＬ  ＭＩＭＯレイヤ数の合計値が６であり、ＵＥがサポートできる最大値（６）と同じである。従って、この場合、ＵＬ  ＭＩＭＯレイヤ数最大値＝６を能力情報に含めずに、能力情報を基地局ｅＮＢに通知する。
【００５４】
図９は、バンド４２（クラスＣ）のＤＬのＣＡコンビネーションの能力情報の例を示す。図９は、Ｉｎｔｒａ−ｂａｎｄ  ｃｏｎｔｉｇｕｏｕｓ  ＣＡの例である。
【００５５】
図９の左側に示すように、ユーザ装置ＵＥにおいてＤＬ  ＭＩＭＯレイヤ数最大値＝６、ＣＳＩプロセス数最大値＝６である場合において、ＤＬバンド／クラス＝４２Ｃに対し、ＤＬ  ＭＩＭＯレイヤ数＝４、ＣＳＩプロセス数＝４であるものとする。
【００５６】
この場合、各ＣＣのＤＬ  ＭＩＭＯレイヤ数の合計値が８（４×２）であり、また、各ＣＣのＣＳＩプロセス数の合計値が８（４×２）であり、いずれもＵＥがサポートできる最大値（６）よりも大きい。従って、この場合、ＤＬ  ＭＩＭＯレイヤ数最大値＝６、ＣＳＩプロセス数最大値＝６を能力情報に含めて、基地局ｅＮＢに通知する。
【００５７】
ＤＬ  ＭＩＭＯレイヤ数最大値＝６、及びＣＳＩプロセス数最大値＝６を受信した基地局ｅＮＢは、例えば、ユーザ装置ＵＥに対してバンド４２（クラスＣ）のＣＡコンビネーションのＣＡの設定（ｃｏｎｆｉｇｕｒａｔｉｏｎ）を行う際に、ＵＥに設定するＭＩＭＯレイヤ数合計値が最大値６を超えず、また、ＵＥに設定するＣＳＩプロセス数合計値が最大値６を超えないようにする。
【００５８】
図９の右側の例では、ユーザ装置ＵＥにおいてＤＬ  ＭＩＭＯレイヤ数最大値＝８、ＣＳＩプロセス数最大値＝８であり、ＤＬバンド／クラス＝４２Ｃに対し、ＤＬ  ＭＩＭＯレイヤ数＝４、ＣＳＩプロセス数＝４である。
【００５９】
この場合、各ＣＣのＤＬ  ＭＩＭＯレイヤ数の合計値が８であり、また、各ＣＣのＣＳＩプロセス数の合計値が８であり、いずれもＵＥがサポートできる最大値（８）と同じである。従って、この場合、ＤＬ  ＭＩＭＯレイヤ数最大値＝８、ＣＳＩプロセス数最大値＝８を能力情報に含めずに、能力情報を基地局ｅＮＢに通知する。
【００６０】
図１０は、バンド１９（クラスＡ）とバンド１（クラスＡ）のＤＬのＣＡコンビネーションの能力情報の他の例を示す。図１０の左側に示すように、ユーザ装置ＵＥにおいて「ＤＬ  ＭＩＭＯレイヤ数＋ＣＳＩプロセス数」の最大値＝１０である場合において、ＤＬバンド／クラス＝１９Ａに対し、ＤＬ  ＭＩＭＯレイヤ数＝４、ＣＳＩプロセス数＝４であり、ＤＬバンド／クラス＝１Ａに対し、ＤＬ  ＭＩＭＯレイヤ数＝４、ＣＳＩプロセス数＝４であるものとする。
【００６１】
この場合、当該ＣＡバンドコンビネーションにおける各ＣＣのＤＬ  ＭＩＭＯレイヤ数の合計値が８であり、また、各ＣＣのＣＳＩプロセス数の合計値が８であり、これらの合計値は１６となる。この計算に関し、１９ＡのＣＣに関するＤＬ  ＭＩＭＯレイヤ数とＣＳＩプロセス数の総数が８であり、１ＡのＣＣに関するＤＬ  ＭＩＭＯレイヤ数とＣＳＩプロセス数の総数が８であり、これらの合計値として１６を求めてもよい。１６は、ＵＥがサポートできる最大値（１０）よりも大きい。従って、この場合、「ＤＬ  ＭＩＭＯレイヤ数＋ＣＳＩプロセス数」の最大値＝１０を能力情報に含めて、基地局ｅＮＢに通知する。
【００６２】
「ＤＬ  ＭＩＭＯレイヤ数＋ＣＳＩプロセス数」の最大値＝１０を受信した基地局ｅＮＢは、例えば、ユーザ装置ＵＥに対してバンド１９（クラスＡ）とバンド１（クラスＡ）のＣＡコンビネーションのＣＡの設定（ｃｏｎｆｉｇｕｒａｔｉｏｎ）を行う際に、ＵＥに設定するＤＬ  ＭＩＭＯレイヤ数とＣＳＩプロセス数の合計値が最大値１０を超えないようにする。
【００６３】
図１０の右側の例では、「ＤＬ  ＭＩＭＯレイヤ数＋ＣＳＩプロセス数」の最大値＝１６であり、ＤＬバンド／クラス＝１９Ａに対し、ＤＬ  ＭＩＭＯレイヤ数＝４、ＣＳＩプロセス数＝４であり、ＤＬバンド／クラス＝１Ａに対し、ＤＬ  ＭＩＭＯレイヤ数＝４、ＣＳＩプロセス数＝４である。
【００６４】
この場合、各ＣＣのＤＬ  ＭＩＭＯレイヤ数の合計値が８であり、また、各ＣＣのＣＳＩプロセス数の合計値が８であり、これらの合計値１６は、ＵＥがサポートできる最大値（１６）と同じである。従って、この場合、「ＤＬ  ＭＩＭＯレイヤ数＋ＣＳＩプロセス数」の最大値＝１６を能力情報に含めずに、能力情報を基地局ｅＮＢに通知する。
【００６５】
第一の実施の形態では、ユーザ装置ＵＥがサポートするＣＡバンドコンビネーション毎に、当該ユーザ装置ＵＥがサポートするＭＩＭＯレイヤ数／ＣＳＩプロセス数等の最大値を付加する／付加しないの判断を行い、最大値を付加する／付加しないを決定する。なお、ユーザ装置ＵＥがサポートするＣＡバンドコンビネーションの全体に対して、ユーザ装置ＵＥがサポートするＭＩＭＯレイヤ数／ＣＳＩプロセス数の最大値を付加することとしてもよい。
【００６６】
第一の実施の形態における処理により、キャリアアグリゲーションを行う移動通信システムにおいて、ユーザ装置ＵＥがバンドコンビネーションの能力情報を基地局ｅＮＢに通知する際に、当該ユーザ装置ＵＥがサポートするＭＩＭＯレイヤ数／ＣＳＩプロセス数等の最大値を基地局ｅＮＢに通知するか否かを適切に判定することが可能となる。つまり、最大値の通知という追加のシグナリングが必要な条件が明確になるので、追加シグナリングによる能力情報シグナリングのサイズ増加を最小限に留めることが可能となる。
【００６７】
（標準規格仕様書変更例）
図１１は、第一の実施の形態における能力情報の通知を行う場合に、現状の標準規格仕様書に対して追加される事項の例を示している。図１１（ａ）は、「３ＧＰＰ  ＴＳ３６．３３１」における「ＵＥ−ＥＵＴＲＡ−Ｃａｐａｂｉｌｉｔｙ  ｉｎｆｏｒｍａｔｉｏｎ  ｅｌｅｍｅｎｔ」の抜粋を示している。図１１（ａ）において下線を引いた部分が追加される事項である。また、図１１（ｂ）に示すように、当該追加部分の説明が、「ＵＥ−ＥＵＴＲＡ−Ｃａｐａｂｉｌｉｔｙ  ｆｉｅｌｄ  ｄｅｓｃｒｉｐｔｉｏｎｓ」に追加される。
【００６８】
図１１（ａ）に示すように、ＲＲＣメッセージの情報要素として、「ｍａｘＳｕｐｐｏｒｔｅｄＭＩＭＯ−ＬａｙｅｒＤＬ」、「ｍａｘＳｕｐｐｏｒｔｅｄＭＩＭＯ−ＬａｙｅｒＵＬ」、「ｍａｘＳｕｐｐｏｒｔｅｄＣＳＩ−Ｐｒｏｃ」が追加される。
【００６９】
「ｍａｘＳｕｐｐｏｒｔｅｄＭＩＭＯ−ＬａｙｅｒＤＬ」は、ＵＥがサポートするＤＬ  ＭＩＭＯレイヤ数の最大値に相当し、「ｍａｘＳｕｐｐｏｒｔｅｄＭＩＭＯ−ＬａｙｅｒＵＬ」は、ＵＥがサポートするＵＬ  ＭＩＭＯレイヤ数の最大値に相当し、「ｍａｘＳｕｐｐｏｒｔｅｄＣＳＩ−Ｐｒｏｃ」は、ＵＥがサポートするＣＳＩプロセス数の最大値に相当する。
【００７０】
より詳細には、図１１（ｂ）に記載されているように、「ｍａｘＳｕｐｐｏｒｔｅｄＭＩＭＯ−ＬａｙｅｒＤＬ」のフィールドには、ＵＥがサポートするＤＬ空間多重のレイヤ数の最大値がセットされる。当該フィールドは、ＵＥが、バンドコンビネーションエントリにおけるバンドコンビネーションパラメータ（ＢａｎｄＣｏｍｂｉｎａｔｉｏｎＰａｒａｍｅｔｅｒｓ）で示されるサポートレイヤ数の合計をサポートしない場合にのみ含められる。
【００７１】
「ｍａｘＳｕｐｐｏｒｔｅｄＭＩＭＯ−ＬａｙｅｒＵＬ」のフィールドには、ＵＥがサポートするＵＬ空間多重のレイヤ数の最大値がセットされる。当該フィールドは、ＵＥが、バンドコンビネーションエントリにおけるバンドコンビネーションパラメータ（ＢａｎｄＣｏｍｂｉｎａｔｉｏｎＰａｒａｍｅｔｅｒｓ）で示されるサポートレイヤ数の合計をサポートしない場合にのみ含められる。
【００７２】
「ｍａｘＳｕｐｐｏｒｔｅｄＣＳＩ−Ｐｒｏｃ」のフィールドには、ＵＥがサポートするＣＳＩプロセス数の最大値がセットされる。当該フィールドは、ＵＥが、バンドコンビネーションエントリにおけるバンドコンビネーションパラメータ（ＢａｎｄＣｏｍｂｉｎａｔｉｏｎＰａｒａｍｅｔｅｒｓ）で示されるサポートＣＳＩプロセス数の合計をサポートしない場合にのみ含められる。
【００７３】
図１２は、前述した「ＤＬ  ＭＩＭＯレイヤ数＋ＣＳＩプロセス数」の最大値に関する能力情報の通知制御を行う場合に、図１１に示した内容に対して追加される事項の例を示している。図１２（ａ）は、「３ＧＰＰ  ＴＳ３６．３３１」における「ＵＥ−ＥＵＴＲＡ−Ｃａｐａｂｉｌｉｔｙ  ｉｎｆｏｒｍａｔｉｏｎ  ｅｌｅｍｅｎｔ」の抜粋を示している。図１２（ａ）において下線を引いた部分が図１１（ａ）に対して追加される事項である。また、図１２（ｂ）に示すように、当該追加部分の説明が、「ＵＥ−ＥＵＴＲＡ−Ｃａｐａｂｉｌｉｔｙ  ｆｉｅｌｄ  ｄｅｓｃｒｉｐｔｉｏｎｓ」に追加される。
【００７４】
図１２（ａ）に示すように、ＲＲＣメッセージの情報要素として、「ｍａｘＳｕｐｐｏｒｔｅｄＭＩＭＯ−ＬａｙｅｒＤＬａｎｄＣＳＩ−Ｐｒｏｃ」が追加される。
【００７５】
「ｍａｘＳｕｐｐｏｒｔｅｄＭＩＭＯ−ＬａｙｅｒＤＬａｎｄＣＳＩ−Ｐｒｏｃ」は、ＵＥがサポートする「ＤＬ  ＭＩＭＯレイヤ数＋ＣＳＩプロセス数」の最大値に相当する。
【００７６】
より詳細には、図１２（ｂ）に記載されているように、「ｍａｘＳｕｐｐｏｒｔｅｄＭＩＭＯ−ＬａｙｅｒＤＬａｎｄＣＳＩ−Ｐｒｏｃ」のフィールドには、ＵＥがサポートするＤＬ空間多重のレイヤ数とＣＳＩプロセス数との総数の最大値がセットされる。当該フィールドは、ＵＥが、バンドコンビネーションエントリにおけるバンドコンビネーションパラメータ（ＢａｎｄＣｏｍｂｉｎａｔｉｏｎＰａｒａｍｅｔｅｒｓ）で示されるサポートレイヤ数とサポートＣＳＩプロセス数の合計をサポートしない場合にのみ含められる。
【００７７】
［第二の実施の形態］
（動作の詳細例）
第一の実施の形態では、ユーザ装置ＵＥは、当該ユーザ装置ＵＥにおいて使用可能なＣＡバンドコンビネーションの能力情報に含まれる各ＣＣのＭＩＭＯレイヤ数／ＣＳＩプロセス数の合計値を、当該ユーザ装置ＵＥがサポートするか否かを判定し、サポートしないと判定した場合にのみ、当該ＣＡバンドコンビネーションにおいて、当該ユーザ装置ＵＥがサポートするＭＩＭＯレイヤ数／ＣＳＩプロセス数の最大値を能力情報に含め、当該最大値を含む能力情報を基地局ｅＮＢに送信するようにした。
【００７８】
一方、第二の実施の形態では、当該ユーザ装置ＵＥにおいて使用可能なＣＡバンドコンビネーションの能力情報に含まれる各ＣＣのＭＩＭＯレイヤ数、ＣＳＩプロセス数及びＮＡＩＣＳ（Network Assisted Interference Cancellation and Suppression）対応能力を所定の能力値に換算した値と、ユーザ装置ＵＥ自身がサポートする所定の能力値の最大値とを比較するようにする。第二の実施の形態において、当該所定の能力値を「ＢＢ（Base Band）  Ｃａｐａｂｉｌｉｔｙ」と呼ぶ。
【００７９】
なお、ＮＡＩＣＳとは、隣接セルからの干渉を抑制するために用いられる制御情報をＲＲＣメッセージで基地局ｅＮＢからユーザ装置ＵＥに通知することで、ユーザ装置ＵＥにてセル間干渉を効果的にキャンセルすることを可能にする技術である。
【００８０】
第二の実施の形態において、ＢＢ  Ｃａｐａｂｉｌｉｔｙは、以下の計算式で算出する。
「ＢＢ  Ｃａｐａｂｉｌｉｔｙ＝α×ＭＩＭＯレイヤ数＋β×ＣＳＩプロセス数＋γ×ＮＡＩＣＳ対応能力」
α、β及びγは、それぞれＭＩＭＯレイヤ数、ＣＳＩプロセス数及びＮＡＩＣＳ対応能力をＢＢ  Ｃａｐａｂｉｌｉｔｙに換算するための係数であり、ユーザ装置ＵＥと基地局ｅＮＢとの間で共通の値が保持される。第二の実施の形態では、これらの係数の値をユーザ装置ＵＥが決定して（又はユーザ装置ＵＥ内に予め記憶されている値を）基地局ｅＮＢに通知してもよいし、基地局ｅＮＢからユーザ装置ＵＥに通知してもよい。これらの係数を基地局ｅＮＢからユーザ装置ＵＥに通知する場合、これらの係数は、図６のステップ１０１で基地局ｅＮＢからユーザ装置ＵＥに送信されるＵＥ能力情報要求（例：ＵＥ  ｃａｐａｂｉｌｉｔｙ  ｅｎｑｕｉｒｙ）に含まれていてもよいし、報知情報（ＳＩＢ）等により基地局ｅＮＢからユーザ装置ＵＥに通知されてもよい。
【００８１】
従来技術では、能力情報に設定されるユーザ装置ＵＥのＮＡＩＣＳ対応能力は、ＮＡＩＣＳ対応ＣＣ数及びＮＡＣＩＳ対応ＰＲＢ（Physical Resource Block）数により規定（表現）される。例えば、能力情報において、バンド１（クラスＣ）のＣＡバンドコンビネーションにＮＡＩＣＳ対応ＣＣ数＝２、ＮＡＩＣＳ対応ＰＲＢ数＝２００が設定されている場合を想定する。バンド１（クラスＣ）のＣＡバンドコンビネーションとは、ＬＴＥの規定によれば、最大で２０ＭＨｚ（＝１００ＰＲＢ）のＣＣを２つ組み合わせた４０ＭＨｚ（２００ＰＲＢ）のＩｎｔｒａ−ｂａｎｄ  ｃｏｎｔｉｇｕｏｕｓ  ＣＡである。この場合、ユーザ装置ＵＥは、バンド１（クラスＣ）において２つのＣＣを組み合わせた４０ＭＨｚ（２００ＰＲＢ）でＮＡＩＣＳに対応できる能力を有していることを示している。第二の実施の形態では、上述の計算式を用いてＮＡＩＣＳ対応能力をＢＢ  Ｃａｐａｂｉｌｉｔｙに換算する際、「γ×ＮＡＩＣＳ対応ＣＣ数」、「γ×ＮＡＣＩＳ対応ＰＲＢ数」、又は、「γ×ＮＡＩＣＳ対応ＣＣ数×ＮＡＩＣＳ対応ＰＲＢ数」のいずれかを用いる。
【００８２】
第一の実施の形態では、従来技術に従い、ＣＡバンドコンビネーションの能力情報にはバンド／クラス毎にＭＩＭＯレイヤ数／ＣＳＩプロセス数等が設定されていることを前提としていた。一方、第二の実施の形態では、ＣＡバンドコンビネーションの能力情報において、バンド／クラス毎に加えて、ＣＡバンドコンビネーション毎又はユーザ装置ＵＥ単位にＭＩＭＯレイヤ数、ＣＳＩプロセス数及びＮＡＩＣＳ対応能力が設定された能力情報をユーザ装置ＵＥから基地局ｅＮＢに通知することを可能にする。これにより、能力情報のデータサイズを削減することが可能になる。
【００８３】
なお、第二の実施の形態では、本発明をＤＬ  ＭＩＭＯレイヤ数、ＣＳＩプロセス数及びＮＡＩＣＳ対応能力に適用する例を示しているが、これらの一部にのみ本発明を適用し、その他には従来技術を適用することとしてもよい。
【００８４】
また、ＮＡＩＣＳはＤＬ通信に適用される技術であるため、第二の実施の形態をＤＬにおけるＣＡバンドコンビネーションの能力情報の通知にのみに適用し、ＵＬにおけるＣＡバンドコンビネーションの能力情報の通知については第一の実施の形態を適用するようにしてもよい。
【００８５】
（具体例）
以下、図１３〜図２１を参照して、ユーザ装置ＵＥが基地局ｅＮＢに通知するＣＡバンドコンビネーションの能力情報の例をより具体的に説明する。
【００８６】
図１３〜図１５は、「γ×ＮＡＩＣＳ対応ＣＣ数」を用いてＢＢ  Ｃａｐａｂｉｌｉｔｙを算出する場合の具体例を示している。図１６〜図１８は、「γ×ＮＡＣＩＳ対応ＰＲＢ数」を用いてＢＢ  Ｃａｐａｂｉｌｉｔｙを算出する場合の具体例を示している。図１９〜図２１は、「γ×ＮＡＩＣＳ対応ＣＣ数×ＮＡＩＣＳ対応ＰＲＢ」を用いてＢＢ  Ｃａｐａｂｉｌｉｔｙを算出する場合の具体例を示している。
【００８７】
また、図１３、図１６、図１９は、ＣＡバンドコンビネーションの能力情報おいて、バンド／クラス毎にＭＩＭＯレイヤ数、ＣＳＩプロセス数及びＮＡＩＣＳ対応能力が設定される場合を示している。図１４、図１７、図２０は、ＣＡバンドコンビネーションの能力情報おいて、ＣＡバンドコンビネーション毎にＭＩＭＯレイヤ数、ＣＳＩプロセス数及びＮＡＩＣＳ対応能力が設定される場合を示している。図１５、図１８、図２１は、ＣＡバンドコンビネーションの能力情報おいて、ユーザ装置ＵＥ単位にＭＩＭＯレイヤ数、ＣＳＩプロセス数及びＮＡＩＣＳ対応能力が設定される場合を示している。
【００８８】
図１３は、バンド１９（クラスＡ）とバンド１（クラスＡ）のＤＬのＣＡコンビネーションの能力情報の例を示す。図１３の例では、α＝１、β＝２、γ＝２であると仮定する。
【００８９】
図１３の左側に示すように、ユーザ装置ＵＥがサポートする「ＢＢ  Ｃａｐａｂｉｌｉｔｙ」の最大値＝２０である場合において、ＤＬバンド／クラス＝１９Ａに対し、ＤＬ  ＭＩＭＯレイヤ数＝４、ＣＳＩプロセス数＝４、ＮＡＩＣＳ対応ＣＣ数＝１であり、ＤＬバンド／クラス＝１Ａに対し、ＤＬ  ＭＩＭＯレイヤ数＝４、ＣＳＩプロセス数＝４、ＮＡＩＣＳ対応ＣＣ数＝１であるものとする。
【００９０】
この場合、バンド１９（クラスＡ）におけるＢＢ  Ｃａｐａｂｉｌｉｔｙは、上述の計算式により１×４＋２×４＋２×１＝１４であり、バンド１（クラスＡ）におけるＢＢ  Ｃａｐａｂｉｌｉｔｙは、同様に、１×４＋２×４＋２×１＝１４である。すなわち、バンド１９（クラスＡ）とバンド１（クラスＡ）のＤＬのＣＡコンビネーションとしてのＢＢ  Ｃａｐａｂｉｌｉｔｙ＝２８である。２８は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。また、α、β及びγをユーザ装置ＵＥから基地局ｅＮＢに通知する場合、ユーザ装置ＵＥは、これらの係数の値を能力情報に含めて基地局ｅＮＢに通知する。
【００９１】
「ＢＢ  Ｃａｐａｂｉｌｉｔｙ」の最大値＝２０を受信した基地局ｅＮＢは、例えば、ユーザ装置ＵＥに対してバンド１９（クラスＡ）とバンド１（クラスＡ）のＣＡコンビネーションのＣＡの設定（ｃｏｎｆｉｇｕｒａｔｉｏｎ）を行う際に、前述の計算式を用いて、「ＢＢ  Ｃａｐａｂｉｌｉｔｙ」の最大値を超えない範囲で、各ＤＬ  ＣＣのＤＬ  ＭＩＭＯレイヤ数、ＣＳＩプロセス数及びＮＡＩＣＳ対応有無を決定してユーザ装置ＵＥに設定する。
【００９２】
図１３の右側の例では、ユーザ装置ＵＥがサポートする「ＢＢ  Ｃａｐａｂｉｌｉｔｙ」の最大値＝２８である場合において、ＤＬバンド／クラス＝１９Ａに対し、ＤＬ  ＭＩＭＯレイヤ数＝４、ＣＳＩプロセス数＝４、ＮＡＩＣＳ対応ＣＣ数＝１であり、ＤＬバンド／クラス＝１Ａに対し、ＤＬ  ＭＩＭＯレイヤ数＝４、ＣＳＩプロセス数＝４、ＮＡＩＣＳ対応ＣＣ数＝１であるものとする。
【００９３】
この場合も、バンド１９（クラスＡ）とバンド１（クラスＡ）のＤＬのＣＡバンドコンビネーションとしてのＢＢ  Ｃａｐａｂｉｌｉｔｙ＝２８である。２８は、ユーザ装置ＵＥがサポートできる最大値（２８）と同じである。従って、この場合、ユーザ装置ＵＥは、「ＢＢ  Ｃａｐａｂｉｌｉｔｙ」の最大値＝２８を能力情報に含めずに基地局ｅＮＢに通知する。
【００９４】
なお、ＣＡバンドコンビネーションの能力情報におけるあるバンドのクラスがＡ以外のクラスであり、最大ＣＣ数が複数ＣＣである場合、当該バンドにおけるＢＢ  Ｃａｐａｂｉｌｉｔｙを算出する際に、ＤＬ  ＭＩＭＯレイヤ数及びＣＳＩプロセス数についてはＣＣ数を乗算するようにする。例えば、図１３の右の例においてＤＬバンド／クラス＝１９Ｂに対し、ＤＬ  ＭＩＭＯレイヤ数＝４、ＣＳＩプロセス数＝４、ＮＡＩＣＳ対応ＣＣ数＝１であり、ＤＬバンド／クラス＝１Ａに対し、ＤＬ  ＭＩＭＯレイヤ数＝４、ＣＳＩプロセス数＝４、ＮＡＩＣＳ対応ＣＣ数＝１である場合を仮定する。
【００９５】
この場合、バンド１９（クラスＢ）におけるＢＢ  Ｃａｐａｂｉｌｉｔｙは、上述の計算式により１×４×２＋２×４×２＋２×１＝２６であり、バンド１９（クラスＡ）におけるＢＢ  Ｃａｐａｂｉｌｉｔｙは、１×４＋２×４＋２×１＝１４となる。すなわち、バンド１９（クラスＢ）とバンド１（クラスＡ）のＤＬのＣＡコンビネーションとしてのＢＢ  Ｃａｐａｂｉｌｉｔｙ＝４２と算出される。
【００９６】
図１４は、バンド１９（クラスＡ）とバンド１（クラスＡ）のＤＬのＣＡコンビネーションの能力情報の例を示す。図１４の例では、α＝１、β＝２、γ＝２であると仮定する。
【００９７】
図１４の左側に示すように、ユーザ装置ＵＥがサポートする「ＢＢ  Ｃａｐａｂｉｌｉｔｙ」の最大値＝２０である場合において、バンド１９（クラスＡ）とバンド１（クラスＡ）のＤＬのＣＡコンビネーションに対し、ＤＬ  ＭＩＭＯレイヤ数＝８、ＣＳＩプロセス数＝８、ＮＡＩＣＳ対応ＣＣ数＝２であるものとする。
【００９８】
この場合、バンド１９（クラスＡ）とバンド１（クラスＡ）のＤＬのＣＡコンビネーションにおけるＢＢ  Ｃａｐａｂｉｌｉｔｙは、上述の計算式により１×８＋２×８＋２×２＝２８であり、２８は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。また、α、β及びγをユーザ装置ＵＥから基地局ｅＮＢに通知する場合、ユーザ装置ＵＥは、これらの係数の値を能力情報に含めて基地局ｅＮＢに通知する。
【００９９】
「ＢＢ  Ｃａｐａｂｉｌｉｔｙ」の最大値＝２０を受信した基地局ｅＮＢは、例えば、ユーザ装置ＵＥに対してバンド１９（クラスＡ）とバンド１（クラスＡ）のＣＡコンビネーションのＣＡの設定（ｃｏｎｆｉｇｕｒａｔｉｏｎ）を行う際に、前述の計算式を用いて、「ＢＢ  Ｃａｐａｂｉｌｉｔｙ」の最大値を超えない範囲で、各ＤＬ  ＣＣのＤＬ  ＭＩＭＯレイヤ数、ＣＳＩプロセス数及びＮＡＩＣＳ対応有無を決定してユーザ装置ＵＥに設定する。
【０１００】
図１４の右側の例では、ユーザ装置ＵＥがサポートする「ＢＢ  Ｃａｐａｂｉｌｉｔｙ」の最大値＝２８である場合において、バンド１９（クラスＡ）とバンド１（クラスＡ）のＤＬのＣＡコンビネーションに対し、ＤＬ  ＭＩＭＯレイヤ数＝８、ＣＳＩプロセス数＝８、ＮＡＩＣＳ対応ＣＣ数＝２であるものとする。
【０１０１】
この場合も、バンド１９（クラスＡ）とバンド１（クラスＡ）のＤＬのＣＡコンビネーションにおけるＢＢ  Ｃａｐａｂｉｌｉｔｙは２８である。２８は、ユーザ装置ＵＥがサポートできる最大値（２８）と同じである。従って、この場合、ユーザ装置ＵＥは、「ＢＢ  Ｃａｐａｂｉｌｉｔｙ」の最大値＝２８を能力情報に含めずに基地局ｅＮＢに通知する。
【０１０２】
図１５は、ユーザ装置ＵＥ単位でＭＩＭＯレイヤ数等が設定されるＤＬのＣＡコンビネーションの能力情報の例を示す。図示しないが、図１５の能力情報には、ユーザ装置ＵＥ単位でのＤＬ  ＭＩＭＯレイヤ数、ＣＳＩプロセス数及びＮＡＩＣＳ対応ＣＣ数の他に、ユーザ装置ＵＥが対応する全てのＣＡバンドコンビネーションのパターンが含まれているものとする。
【０１０３】
図１５の左側に示すように、ユーザ装置ＵＥがサポートする「ＢＢ  Ｃａｐａｂｉｌｉｔｙ」の最大値＝２０である場合において、各ＣＡバンドコンビネーションにおけるＤＬ  ＭＩＭＯレイヤ数＝８、ＣＳＩプロセス数＝８、ＮＡＩＣＳ対応ＣＣ数＝２であるものとする。
【０１０４】
この場合、ユーザ装置ＵＥが対応する各ＣＡバンドコンビネーションでのＢＢ  Ｃａｐａｂｉｌｉｔｙは、上述の計算式により１×８＋２×８＋２×２＝２８であり、２８は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。また、α、β及びγをユーザ装置ＵＥから基地局ｅＮＢに通知する場合、ユーザ装置ＵＥは、これらの係数の値を能力情報に含めて基地局ｅＮＢに通知する。
【０１０５】
「ＢＢ  Ｃａｐａｂｉｌｉｔｙ」の最大値＝２０を受信した基地局ｅＮＢは、例えば、ＣＡの設定（ｃｏｎｆｉｇｕｒａｔｉｏｎ）を行う際に、前述の計算式を用いて、「ＢＢ  Ｃａｐａｂｉｌｉｔｙ」の最大値を超えない範囲で、各ＤＬ  ＣＣのＤＬ  ＭＩＭＯレイヤ数、ＣＳＩプロセス数及びＮＡＩＣＳ対応有無を決定してユーザ装置ＵＥに設定する。
【０１０６】
図１５の右側の例では、ユーザ装置ＵＥがサポートする「ＢＢ  Ｃａｐａｂｉｌｉｔｙ」の最大値＝２８である場合において、各ＣＡバンドコンビネーションにおけるＤＬ  ＭＩＭＯレイヤ数＝８、ＣＳＩプロセス数＝８、ＮＡＩＣＳ対応ＣＣ数＝２であるものとする。
【０１０７】
この場合、ユーザ装置ＵＥが対応する各ＣＡバンドコンビネーションでのＢＢ  Ｃａｐａｂｉｌｉｔｙは、上述の計算式により１×８＋２×８＋２×２＝２８である。２８は、ユーザ装置ＵＥがサポートできる最大値（２８）と同じである。従って、この場合、ユーザ装置ＵＥは、「ＢＢ  Ｃａｐａｂｉｌｉｔｙ」の最大値＝２８を能力情報に含めずに基地局ｅＮＢに通知する。
【０１０８】
図１６は、バンド１９（クラスＡ）とバンド１（クラスＡ）のＤＬのＣＡコンビネーションの能力情報の例を示す。図１６の例では、α＝１、β＝２、γ＝０．０２であると仮定する。その他言及しない点は図１３と同一でよい。
【０１０９】
図１６の左側に示すように、ユーザ装置ＵＥがサポートする「ＢＢ  Ｃａｐａｂｉｌｉｔｙ」の最大値＝２０である場合において、ＤＬバンド／クラス＝１９Ａに対し、ＤＬ  ＭＩＭＯレイヤ数＝４、ＣＳＩプロセス数＝４、ＮＡＩＣＳ対応ＰＲＢ数＝７５であり、ＤＬバンド／クラス＝１Ａに対し、ＤＬ  ＭＩＭＯレイヤ数＝４、ＣＳＩプロセス数＝４、ＮＡＩＣＳ対応ＰＲＢ数＝１００であるものとする。
【０１１０】
この場合、バンド１９（クラスＡ）におけるＢＢ  Ｃａｐａｂｉｌｉｔｙは、上述の計算式により１×４＋２×４＋０．０２×７５＝１３．５であり、バンド１（クラスＡ）におけるＢＢ  Ｃａｐａｂｉｌｉｔｙは、同様に、１×４＋２×４＋０．０２×１００＝１４である。すなわち、バンド１９（クラスＡ）とバンド１（クラスＡ）のＤＬのＣＡコンビネーションとしてのＢＢ  Ｃａｐａｂｉｌｉｔｙ＝２７．５である。２７．５は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。
【０１１１】
「ＢＢ  Ｃａｐａｂｉｌｉｔｙ」の最大値＝２０を受信した基地局ｅＮＢは、例えば、ＣＡの設定（ｃｏｎｆｉｇｕｒａｔｉｏｎ）を行う際に、前述の計算式を用いて、「ＢＢ  Ｃａｐａｂｉｌｉｔｙ」の最大値を超えない範囲で、各ＤＬ  ＣＣのＤＬ  ＭＩＭＯレイヤ数、ＣＳＩプロセス数及びＮＡＩＣＳ対応有無を決定してユーザ装置ＵＥに設定する。
【０１１２】
図１６の右側の例では、ユーザ装置ＵＥがサポートする「ＢＢ  Ｃａｐａｂｉｌｉｔｙ」の最大値＝２７．５である場合において、ＤＬバンド／クラス＝１９Ａに対し、ＤＬ  ＭＩＭＯレイヤ数＝４、ＣＳＩプロセス数＝４、ＮＡＩＣＳ対応ＰＲＢ数＝７５であり、ＤＬバンド／クラス＝１Ａに対し、ＤＬ  ＭＩＭＯレイヤ数＝４、ＣＳＩプロセス数＝４、ＮＡＩＣＳ対応ＰＲＢ数＝１００であるものとする。
【０１１３】
この場合も、バンド１９（クラスＡ）とバンド１（クラスＡ）のＤＬのＣＡバンドコンビネーションとしてのＢＢ  Ｃａｐａｂｉｌｉｔｙ＝２７．５である。２７．５は、ユーザ装置ＵＥがサポートできる最大値（２７．５）と同じである。従って、この場合、ユーザ装置ＵＥは、「ＢＢ  Ｃａｐａｂｉｌｉｔｙ」の最大値＝２７．５を能力情報に含めずに基地局ｅＮＢに通知する。
【０１１４】
図１７は、バンド１９（クラスＡ）とバンド１（クラスＡ）のＤＬのＣＡコンビネーションの能力情報の例を示す。図１７の例では、α＝１、β＝２、γ＝０．０２であると仮定する。その他言及しない点は図１４と同一でよい。
【０１１５】
図１７の左側に示すように、ユーザ装置ＵＥがサポートする「ＢＢ  Ｃａｐａｂｉｌｉｔｙ」の最大値＝２０である場合において、バンド１９（クラスＡ）とバンド１（クラスＡ）のＤＬのＣＡコンビネーションに対し、ＤＬ  ＭＩＭＯレイヤ数＝８、ＣＳＩプロセス数＝８、ＮＡＩＣＳ対応ＰＲＢ数＝１７５であるものとする。
【０１１６】
この場合、バンド１９（クラスＡ）とバンド１（クラスＡ）のＤＬのＣＡコンビネーションにおけるＢＢ  Ｃａｐａｂｉｌｉｔｙは、上述の計算式により１×８＋２×８＋０．０２×１７５＝２７．５であり、２７．５は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。
【０１１７】
「ＢＢ  Ｃａｐａｂｉｌｉｔｙ」の最大値＝２０を受信した基地局ｅＮＢは、例えば、ＣＡの設定（ｃｏｎｆｉｇｕｒａｔｉｏｎ）を行う際に、前述の計算式を用いて、「ＢＢ  Ｃａｐａｂｉｌｉｔｙ」の最大値を超えない範囲で、各ＤＬ  ＣＣのＤＬ  ＭＩＭＯレイヤ数、ＣＳＩプロセス数及びＮＡＩＣＳ対応有無を決定してユーザ装置ＵＥに設定する。
【０１１８】
図１７の右側の例では、ユーザ装置ＵＥがサポートする「ＢＢ  Ｃａｐａｂｉｌｉｔｙ」の最大値＝２７．５である場合において、バンド１９（クラスＡ）とバンド１（クラスＡ）のＤＬのＣＡコンビネーションに対し、ＤＬ  ＭＩＭＯレイヤ数＝８、ＣＳＩプロセス数＝８、ＮＡＩＣＳ対応ＰＲＢ数＝１７５であるものとする。
【０１１９】
この場合、バンド１９（クラスＡ）とバンド１（クラスＡ）のＤＬのＣＡコンビネーションにおけるＢＢ  Ｃａｐａｂｉｌｉｔｙは、上述の計算式により１×８＋２×８＋０．０２×１７５＝２７．５である。２７．５は、ユーザ装置ＵＥがサポートできる最大値（２７．５）と同じである。従って、この場合、ユーザ装置ＵＥは、「ＢＢ  Ｃａｐａｂｉｌｉｔｙ」の最大値＝２７．５を能力情報に含めずに基地局ｅＮＢに通知する。
【０１２０】
図１８は、ユーザ装置ＵＥ単位でＭＩＭＯレイヤ数等が設定されるＤＬのＣＡコンビネーションの能力情報の例を示す。図１８の例では、α＝１、β＝２、γ＝０．０２であると仮定する。その他言及しない点は図１５と同一でよい。
【０１２１】
図１８の左側に示すように、ユーザ装置ＵＥがサポートする「ＢＢ  Ｃａｐａｂｉｌｉｔｙ」の最大値＝２０である場合において、各ＣＡバンドコンビネーションにおけるＤＬ  ＭＩＭＯレイヤ数＝８、ＣＳＩプロセス数＝８、ＮＡＩＣＳ対応ＰＲＢ数＝１７５であるものとする。
【０１２２】
この場合、ユーザ装置ＵＥが対応する各ＣＡバンドコンビネーションでのＢＢ  Ｃａｐａｂｉｌｉｔｙは、上述の計算式により１×８＋２×８＋０．０２×１７５＝２７．５であり、２７．５は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。
【０１２３】
図１８の右側の例では、ユーザ装置ＵＥがサポートする「ＢＢ  Ｃａｐａｂｉｌｉｔｙ」の最大値＝２７．５である場合において、各ＣＡバンドコンビネーションにおけるＤＬ  ＭＩＭＯレイヤ数＝８、ＣＳＩプロセス数＝８、ＮＡＩＣＳ対応ＣＣ数＝１７５であるものとする。
【０１２４】
この場合も、ユーザ装置ＵＥが対応する各ＣＡバンドコンビネーションでのＢＢ  Ｃａｐａｂｉｌｉｔｙ＝２７．５である。２７．５は、ユーザ装置ＵＥがサポートできる最大値（２７．５）と同じである。従って、この場合、ユーザ装置ＵＥは、「ＢＢ  Ｃａｐａｂｉｌｉｔｙ」の最大値＝２７．５を能力情報に含めずに基地局ｅＮＢに通知する。
【０１２５】
図１９は、バンド１９（クラスＡ）とバンド１（クラスＡ）のＤＬのＣＡコンビネーションの能力情報の例を示す。図１９の例では、ＢＢ  Ｃａｐａｂｉｌｉｔｙを算出する際に、ＮＡＩＣＳ対応能力として「ＮＡＩＣＳ対応ＣＣ数×ＮＡＣＩＳ対応ＰＲＢ数」を用いて算出を行う。その他言及しない点は図１６と同一でよい。
【０１２６】
図１９の左側に示すように、ユーザ装置ＵＥがサポートする「ＢＢ  Ｃａｐａｂｉｌｉｔｙ」の最大値＝２０である場合において、ＤＬバンド／クラス＝１９Ａに対し、ＤＬ  ＭＩＭＯレイヤ数＝４、ＣＳＩプロセス数＝４、ＮＡＩＣＳ対応ＣＣ数＝１、ＮＡＩＣＳ対応ＰＲＢ数＝７５であり、ＤＬバンド／クラス＝１Ａに対し、ＤＬ  ＭＩＭＯレイヤ数＝４、ＣＳＩプロセス数＝４、ＮＡＩＣＳ対応ＣＣ数＝１、ＮＡＩＣＳ対応ＰＲＢ数＝１００であるものとする。
【０１２７】
この場合、バンド１９（クラスＡ）におけるＢＢ  Ｃａｐａｂｉｌｉｔｙは、上述の計算式により１×４＋２×４＋０．０２×１×７５＝１３．５であり、バンド１（クラスＡ）におけるＢＢ  Ｃａｐａｂｉｌｉｔｙは、同様に、１×４＋２×４＋０．０２×１×１００＝１４である。すなわち、バンド１９（クラスＡ）とバンド１（クラスＡ）のＤＬのＣＡコンビネーションとしてのＢＢ  Ｃａｐａｂｉｌｉｔｙ＝２７．５である。２７．５は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。
【０１２８】
図１９の右側の例では、ユーザ装置ＵＥがサポートする「ＢＢ  Ｃａｐａｂｉｌｉｔｙ」の最大値＝２７．５である場合において、ＤＬバンド／クラス＝１９Ａに対し、ＤＬ  ＭＩＭＯレイヤ数＝４、ＣＳＩプロセス数＝４、ＮＡＩＣＳ対応ＣＣ数＝１、ＮＡＩＣＳ対応ＰＲＢ数＝７５であり、ＤＬバンド／クラス＝１Ａに対し、ＤＬ  ＭＩＭＯレイヤ数＝４、ＣＳＩプロセス数＝４、ＮＡＩＣＳ対応ＣＣ数＝１、ＮＡＩＣＳ対応ＰＲＢ数＝１００であるものとする。
【０１２９】
この場合も、バンド１９（クラスＡ）とバンド１（クラスＡ）のＤＬのＣＡバンドコンビネーションとしてのＢＢ  Ｃａｐａｂｉｌｉｔｙ＝２７．５である。２７．５は、ユーザ装置ＵＥがサポートできる最大値（２７．５）と同じである。従って、この場合、ユーザ装置ＵＥは、「ＢＢ  Ｃａｐａｂｉｌｉｔｙ」の最大値＝２７．５を能力情報に含めずに基地局ｅＮＢに通知する。
【０１３０】
図２０は、バンド１９（クラスＡ）とバンド１（クラスＡ）のＤＬのＣＡコンビネーションの能力情報の例を示す。図２０の例では、ＢＢ  Ｃａｐａｂｉｌｉｔｙを算出する際に、ＮＡＩＣＳ対応能力として「ＮＡＩＣＳ対応ＣＣ数×ＮＡＣＩＳ対応ＰＲＢ数」を用いて算出を行う。その他言及しない点は図１７と同一でよい。
【０１３１】
図２０の左側に示すように、ユーザ装置ＵＥがサポートする「ＢＢ  Ｃａｐａｂｉｌｉｔｙ」の最大値＝２０である場合において、バンド１９（クラスＡ）とバンド１（クラスＡ）のＤＬのＣＡコンビネーションに対し、ＤＬ  ＭＩＭＯレイヤ数＝８、ＣＳＩプロセス数＝８、ＮＡＩＣＳ対応ＣＣ数＝２、ＮＡＩＣＳ対応ＰＲＢ数＝１７５であるものとする。
【０１３２】
この場合、バンド１９（クラスＡ）とバンド１（クラスＡ）のＤＬのＣＡコンビネーションにおけるＢＢ  Ｃａｐａｂｉｌｉｔｙは、上述の計算式により１×８＋２×８＋０．０２×２×１７５＝３１であり、３１は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。
【０１３３】
図２０の右側の例では、ユーザ装置ＵＥがサポートする「ＢＢ  Ｃａｐａｂｉｌｉｔｙ」の最大値＝３１である場合において、バンド１９（クラスＡ）とバンド１（クラスＡ）のＤＬのＣＡコンビネーションに対し、ＤＬ  ＭＩＭＯレイヤ数＝８、ＣＳＩプロセス数＝８、ＮＡＩＣＳ対応ＣＣ数＝２、ＮＡＩＣＳ対応ＰＲＢ数＝１７５であるものとする。
【０１３４】
この場合も、バンド１９（クラスＡ）とバンド１（クラスＡ）のＤＬのＣＡコンビネーションにおけるＢＢ  Ｃａｐａｂｉｌｉｔｙは３１である。３１は、ユーザ装置ＵＥがサポートできる最大値（３１）と同じである。従って、この場合、ユーザ装置ＵＥは、「ＢＢ  Ｃａｐａｂｉｌｉｔｙ」の最大値＝３１を能力情報に含めずに基地局ｅＮＢに通知する。
【０１３５】
図２１は、ユーザ装置ＵＥ単位でＭＩＭＯレイヤ数等が設定されるＤＬのＣＡコンビネーションの能力情報の例を示す。図２１の例では、ＢＢ  Ｃａｐａｂｉｌｉｔｙを算出する際に、ＮＡＩＣＳ対応能力として「ＮＡＩＣＳ対応ＣＣ数×ＮＡＣＩＳ対応ＰＲＢ数」を用いて算出を行う。その他言及しない点は図１８と同一でよい。
【０１３６】
図２１の左側に示すように、ユーザ装置ＵＥがサポートする「ＢＢ  Ｃａｐａｂｉｌｉｔｙ」の最大値＝２０である場合において、各ＣＡバンドコンビネーションにおけるＤＬ  ＭＩＭＯレイヤ数＝８、ＣＳＩプロセス数＝８、ＮＡＩＣＳ対応ＣＣ数＝２、ＮＡＩＣＳ対応ＰＲＢ数＝１７５であるものとする。
【０１３７】
この場合、ユーザ装置ＵＥが対応する各ＣＡバンドコンビネーションでのＢＢ  Ｃａｐａｂｉｌｉｔｙは、上述の計算式により１×８＋２×８＋０．０２×２×１７５＝３１であり、３１は、ユーザ装置ＵＥがサポートできる最大値（２０）よりも大きい。従って、この場合、ユーザ装置ＵＥは、「ＢＢ  Ｃａｐａｂｉｌｉｔｙ」の最大値＝２０を能力情報に含めて基地局ｅＮＢに通知する。
【０１３８】
図２１の右側の例では、ユーザ装置ＵＥがサポートする「ＢＢ  Ｃａｐａｂｉｌｉｔｙ」の最大値＝３１である場合において、各ＣＡバンドコンビネーションにおけるＤＬ  ＭＩＭＯレイヤ数＝８、ＣＳＩプロセス数＝８、ＮＡＩＣＳ対応ＣＣ数＝２、ＮＡＩＣＳ対応ＣＣ数＝１７５であるものとする。
【０１３９】
この場合も、ユーザ装置ＵＥが対応する各ＣＡバンドコンビネーションでのＢＢ  Ｃａｐａｂｉｌｉｔｙは３１である。３１は、ユーザ装置ＵＥがサポートできる最大値（３１）と同じである。従って、この場合、ユーザ装置ＵＥは、「ＢＢ  Ｃａｐａｂｉｌｉｔｙ」の最大値＝３１を能力情報に含めずに基地局ｅＮＢに通知する。
【０１４０】
（具体例の補足）
図１９〜図２１においてＢＢ  Ｃａｐａｂｉｌｉｔｙを算出する際、「ＢＢ  Ｃａｐａｂｉｌｉｔｙ＝α×ＭＩＭＯレイヤ数＋β×ＣＳＩプロセス数＋γ×ＮＡＩＣＳ対応ＣＣ数×ＮＡＣＩＳ対応ＰＲＢ数／１００」としてもよい。
【０１４１】
図１３、図１４、図１６、図１７、図１９、図２０の例では、ユーザ装置ＵＥは、ユーザ装置ＵＥがサポートするＣＡバンドコンビネーション毎に、当該ユーザ装置ＵＥがサポートする「ＢＢ  Ｃａｐａｂｉｌｉｔｙの最大値、α、β、γ」又は「ＢＢ  Ｃａｐａｂｉｌｉｔｙの最大値」を能力情報に付加する／付加しないの判断を行い、最大値を付加する／付加しないを決定する。なお、ユーザ装置ＵＥがサポートするＣＡバンドコンビネーションの全体に対して、ユーザ装置ＵＥがサポートする「ＢＢ  Ｃａｐａｂｉｌｉｔｙの最大値、α、β、γ」又は「ＢＢ  Ｃａｐａｂｉｌｉｔｙの最大値」を付加することとしてもよい。
【０１４２】
図１５、図１８、図２１の例では、ユーザ装置ＵＥは、ユーザ装置ＵＥがサポートするＣＡバンドコンビネーションの全体に対して、ユーザ装置ＵＥがサポートする「ＢＢ  Ｃａｐａｂｉｌｉｔｙの最大値、α、β、γ」又は「ＢＢ  Ｃａｐａｂｉｌｉｔｙの最大値」を能力情報に付加する／付加しないの判断を行い、最大値を付加する／付加しないを決定する。
【０１４３】
図１３〜図２１の例において、ユーザ装置ＵＥは、常に「ＢＢ  Ｃａｐａｂｉｌｉｔｙの最大値、α、β、γ」又は「ＢＢ  Ｃａｐａｂｉｌｉｔｙの最大値」を能力情報に付加するようにしてもよい。また、付加する場合、ＣＡバンドコンビネーション毎に「ＢＢ  Ｃａｐａｂｉｌｉｔｙの最大値、α、β、γ」又は「ＢＢ  Ｃａｐａｂｉｌｉｔｙの最大値」を付加するようにしてもよいし、ＣＡバンドコンビネーションの全体に対して「ＢＢ  Ｃａｐａｂｉｌｉｔｙの最大値、α、β、γ」又は「ＢＢ  Ｃａｐａｂｉｌｉｔｙの最大値」付加するようにしてもよい。これにより、ユーザ装置ＵＥがバンドコンビネーションの能力情報を基地局に通知する際に、ユーザ装置ＵＥがサポートするＢＢ  Ｃａｐａｂｉｌｉｔｙの最大値を基地局ｅＮＢに通知することができる。また、ユーザ装置ＵＥにおいて、「ＢＢ  Ｃａｐａｂｉｌｉｔｙの最大値、α、β、γ」又は「ＢＢ  Ｃａｐａｂｉｌｉｔｙの最大値」を能力情報に付加する／付加しないの判断処理を省くことができ、処理負荷を軽減させることができる。
【０１４４】
図１３〜図１５の例では、ＣＡバンドコンビネーションの能力情報にＮＡＩＣＳ対応ＣＣ数のみが設定されている。そこで、基地局ｅＮＢは、ＣＡの設定（ｃｏｎｆｉｇｕｒａｔｉｏｎ）を行う際に、ユーザ装置ＵＥがサポート可能なＮＡＩＣＳ対応ＰＲＢ数を、例えば、ＮＡＩＣＳ対応ＣＣ数×所定のＰＲＢ数（２５、５０、７５、１００等）とみなして、各ＤＬ  ＣＣのＮＡＩＣＳ対応有無を決定するようにしてもよい。当該所定のＰＲＢ数は、予めユーザ装置ＵＥと基地局ｅＮＢとの間で共有されていてもよい。
【０１４５】
また、図１６〜図１８の例では、ＣＡバンドコンビネーションの能力情報にＮＡＩＣＳ対応ＰＲＢ数のみが設定されている。そこで、基地局ｅＮＢは、ＣＡの設定（ｃｏｎｆｉｇｕｒａｔｉｏｎ）を行う際に、ユーザ装置ＵＥがサポート可能なＮＡＩＣＳ対応ＣＣ数を、例えば、ＮＡＩＣＳ対応ＰＲＢ数÷所定のＰＲＢ数（２５、５０、７５、１００等）とみなして、各ＤＬ  ＣＣのＮＡＩＣＳ対応有無を決定するようにしてもよい。当該所定のＰＲＢ数は、予めユーザ装置ＵＥと基地局ｅＮＢとの間で共有されていてもよい。
【０１４６】
（装置構成例、ＵＥ動作例）
次に、これまでの説明した処理を実行可能なユーザ装置ＵＥと基地局ｅＮＢにおける主要な構成を説明する。
【０１４７】
まず、図２２に、本実施の形態に係るユーザ装置ＵＥの構成図を示す。図２２に示すように、ユーザ装置ＵＥは、ＵＬ信号送信部１０１、ＤＬ信号受信部１０２、ＲＲＣ管理部１０３、能力情報通知制御部１０４を含む。図２２は、ユーザ装置ＵＥにおいて本発明の実施の形態に特に関連する機能部のみを示すものであり、少なくともＬＴＥに準拠した動作を行うための図示しない機能も有するものである。また、図２２に示す機能構成は一例に過ぎない。本実施の形態に係る動作を実行できるのであれば、機能区分や機能部の名称はどのようなものでもよい。
【０１４８】
ＵＬ信号送信部１０１は、ユーザ装置ＵＥから送信されるべき上位のレイヤの信号から、物理レイヤの各種信号を生成し、無線送信する機能を含む。ＤＬ信号受信部１０２は、基地局ｅＮＢから各種の信号を無線受信し、受信した物理レイヤの信号からより上位のレイヤの信号を取得する機能を含む。ＵＬ信号送信部１０１及びＤＬ信号受信部１０２はそれぞれ、複数のＣＣを束ねて通信を行うＣＡを実行する機能を含む。
【０１４９】
ＵＬ信号送信部１０１及びＤＬ信号受信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【０１５０】
ＲＲＣ管理部１０３は、基地局ｅＮＢとの間でＲＲＣメッセージの送受信を行うとともに、ＣＡ情報の設定／変更／管理、構成変更等の処理を行う機能を含む。また、ＲＲＣ管理部１０３は、ユーザ装置ＵＥの能力の情報を保持するとともに、能力情報を通知するＲＲＣメッセージを作成し、ＵＬ信号送信部１０１を介して基地局ｅＮＢに送信する。
【０１５１】
能力情報通知制御部１０４は、第一の実施の形態で説明した方法で、ＣＡバンドコンビネーションの能力情報にＭＩＭＯレイヤ数／ＣＳＩプロセス数の最大値、「ＤＬ  ＭＩＭＯレイヤ数＋ＣＳＩプロセス数」の最大値等を付加するか否かを判定し、最大値を付加する場合には、ＲＲＣ管理部１０３に対し、最大値を付加して能力情報を作成するように指示する。より具体的には、能力情報通知制御部１０４は、ＵＥのＣＡバンドコンビネーション毎に、各ＣＣのＭＩＭＯレイヤ数／ＣＳＩプロセス数等の合計値と、ＭＩＭＯレイヤ数／ＣＳＩプロセス数等の最大値を比較し、当該最大値が各ＣＣのＭＩＭＯレイヤ数／ＣＳＩプロセス数等の合計値未満であれば当該最大値を能力情報に付加すると判定し、当該最大値が各ＣＣのＭＩＭＯレイヤ数／ＣＳＩプロセス数等の合計値以上であれば、当該最大値を能力情報に付加しないと判定する。
【０１５２】
また、能力情報通知制御部１０４は、第二の実施の形態で説明した方法で、ＣＡバンドコンビネーションの能力情報に「ＢＢ  Ｃａｐａｂｉｌｉｔｙ」の最大値を付加するか否かを判定し、最大値を付加する場合には、ＲＲＣ管理部１０３に対し、最大値を付加して能力情報を作成するように指示する。より具体的には、能力情報通知制御部１０４は、ユーザ装置ＵＥのＣＡバンドコンビネーション毎又はユーザ装置ＵＥ単位に、ＢＢ  Ｃａｐａｂｉｌｉｔｙの合計値と、ユーザ装置ＵＥがサポートできるＢＢ  Ｃａｐａｂｉｌｉｔｙの最大値を比較し、当該最大値が当該合計値未満であれば当該最大値を能力情報に付加すると判定し、当該最大値が当該合計値以上であれば、当該最大値を能力情報に付加しないと判定する。
【０１５３】
能力情報通知制御部１０４は、ＲＲＣ管理部１０３の内部に備えられてもよい。その場合、ＲＲＣ管理部１０３が上記の判定、及び能力情報の作成を行う。
【０１５４】
図２３に、本実施の形態に係る基地局ｅＮＢの機能構成図を示す。図２３に示すように、基地局ｅＮＢは、ＤＬ信号送信部２０１、ＵＬ信号受信部２０２、ＲＲＣ管理部２０３、スケジューリング部２０４を含む。図２３は、基地局ｅＮＢにおける主要な機能部のみを示すものであり、少なくともＬＴＥに準拠した動作を行うための図示しない機能も有するものである。また、図２３に示す機能構成は一例に過ぎない。本実施の形態に係る動作を実行できるのであれば、機能区分や機能部の名称はどのようなものでもよい。当該基地局ｅＮＢは、単独の基地局ｅＮＢでもよいし、設定（Ｃｏｎｆｉｇｕｒａｔｉｏｎ）により、ＤＣを実行する際にはＭｅＮＢとＳｅＮＢのいずれにもなり得る。
【０１５５】
ＤＬ信号送信部２０１は、基地局ｅＮＢから送信されるべき上位のレイヤの信号から、物理レイヤの各種信号を生成し、無線送信する機能を含む。ＵＬ信号受信部２０２は、各ＵＥから各種の信号を無線受信し、受信した物理レイヤの信号からより上位のレイヤの信号を取得する機能を含む。ＤＬ信号送信部２０１及びＵＬ信号受信部２０２はそれぞれ、複数のＣＣを束ねて通信を行うＣＡを実行する機能を含む。また、ＤＬ信号送信部２０１及びＵＬ信号受信部２０２は、ＲＲＥのように、基地局ｅＮＢの本体（制御部）から遠隔に設置された無線通信部を含んでもよい。
【０１５６】
ＤＬ信号送信部２０１及びＵＬ信号受信部２０２はそれぞれ、パケットバッファを備え、レイヤ１（ＰＨＹ）及びレイヤ２（ＭＡＣ、ＲＬＣ、ＰＤＣＰ）の処理を行うことを想定している（ただし、これに限られるわけではない）。
【０１５７】
ＲＲＣ管理部２０３は、ユーザ装置ＵＥとの間でＲＲＣメッセージの送受信を行うとともに、ＣＡの設定／変更／管理、構成変更等の処理を行う機能を含む。また、ＲＲＣ管理部２０３は、ＵＬ信号受信部２０２を介して、ユーザ装置ＵＥから能力情報を受信し、当該能力情報を保持し、当該能力情報を超えない範囲でユーザ装置ＵＥに対してＣＡの設定等を実施することができる。例えば、ＲＲＣ管理部２０３は、能力情報としてＵＥからＭＩＭＯレイヤ数／ＣＳＩプロセス数等の最大値を受信した場合、当該最大値を超えないように、各ＣＣにおけるＭＩＭＯレイヤ数／ＣＳＩプロセス数／ＮＡＩＣＳ対応有無の設定を行うことができる。
【０１５８】
スケジューリング部２０４は、ＣＡを実施するユーザ装置ＵＥに対し、セル毎にスケジューリングを行って、ＰＤＣＣＨの割り当て情報を作成し、当該割り当て情報を含むＰＤＣＣＨの送信をＤＬ信号送信部２０１に指示する機能を含む。
【０１５９】
次に、図２４を参照して、ＣＡバンドコンビネーションの能力情報を通知する際のユーザ装置ＵＥの動作例を説明する。図２４は、所定の能力値がＭＩＭＯレイヤ数である場合の例を示しているが、ＣＳＩプロセス数、「ＤＬ  ＭＩＭＯレイヤ数＋ＣＳＩプロセス数」、及び「ＢＢ  Ｃａｐａｂｉｌｉｔｙ」の場合についても同様のフローで処理を実行する。以下の処理は主にユーザ装置ＵＥの能力情報通知制御部１０４により実行される。
【０１６０】
ユーザ装置ＵＥは、ＲＲＣ管理部１０３等の記憶部に格納されている自身の能力情報を参照することにより、ステップ２０１、ステップ２０２の処理を、ユーザ装置ＵＥが対応しているＣＡバンドコンビネーション毎に実行する。
【０１６１】
ステップ２０１において、ユーザ装置ＵＥは、ＣＡバンドコンビネーションの能力情報で通知される各ＣＣのＭＩＭＯレイヤ数の合計値と、ユーザ装置ＵＥがサポートするＭＩＭＯレイヤ数の最大値とを比較し、各ＣＣのＭＩＭＯレイヤ数の合計値のほうが最大値よりも大きければステップ２０２に進み、各ＣＣのＭＩＭＯレイヤ数の合計値が最大値以下であれば、次のＣＡバンドコンビネーションの処理に移る。
【０１６２】
ステップ２０２において、ユーザ装置ＵＥは、自身がサポートするＭＩＭＯレイヤ数の最大値を該当のＣＡバンドコンビネーションの能力情報（具体的には、ＣＡバンドコンビネーションパラメータ）に含める。最大値がＣＡバンドコンビネーション毎に定められる場合、ステップ２０２での最大値は着目しているＣＡバンドコンビネーションに対応する最大値である。
【０１６３】
ユーザ装置ＵＥがサポートする全てのＣＡバンドコンビネーションについての処理が終了したら、ユーザ装置ＵＥは上記の処理により作成された全てのＣＡバンドコンビネーションの能力情報を基地局ｅＮＢに通知する。また、ユーザ装置ＵＥは、個々のＣＡバンドコンビネーションの能力情報が決定する度に当該能力情報を基地局ｅＮＢに通知してもよい。
【０１６４】
以上説明したユーザ装置ＵＥ及び基地局ｅＮＢの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【０１６５】
図２５は、ユーザ装置ＵＥのハードウェア構成例を示す図である。図２５は、図２２よりも実装例に近い構成を示している。図２５に示すように、ユーザ装置ＵＥは、無線信号に関する処理を行うＲＥ（Radio Equipment）モジュール３０１と、ベースバンド信号処理を行うＢＢ（Base Band）処理モジュール３０２と、上位レイヤ等の処理を行う装置制御モジュール３０３と、ＳＩＭカードにアクセスするインタフェースであるＳＩＭスロット３０４とを有する。
【０１６６】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、例えば、図２２に示すＵＬ信号送信部１０１及びＤＬ信号受信部１０２の一部を含む。
【０１６７】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図２２に示すＵＬ信号送信部１０１の一部、ＤＬ信号受信部１０２の一部を含む。
【０１６８】
装置制御モジュール３０３は、ＩＰレイヤのプロトコル処理、各種アプリケーションの処理等を行う。プロセッサ３１３は、装置制御モジュール３０３が行う処理を行うプロセッサである。メモリ３２３は、プロセッサ３１３のワークエリアとして使用される。また、プロセッサ３１３は、ＳＩＭスロット３０４を介してＳＩＭとの間でデータの読出し及び書込みを行う。装置制御モジュール３０３は、例えば、図２２に示すＲＲＣ管理部１０３及び能力情報通知制御部１０４を含む。
【０１６９】
図２６は、基地局ｅＮＢのハードウェア構成例を示す図である。図２５は、図２３よりも実装例に近い構成を示している。図２６に示すように、基地局ｅＮＢは、無線信号に関する処理を行うＲＥモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【０１７０】
ＲＥモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＥモジュール４０１は、例えば、図２３に示すＤＬ信号送信部２０１及びＵＬ信号受信部２０２の一部を含む。
【０１７１】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図２３に示すＤＬ信号送信部２０１の一部、ＵＬ信号受信部２０２の一部及びスケジューリング部２０４を含む。
【０１７２】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図２３に示すＲＲＣ管理部２０３を含む。
【０１７３】
（実施の形態のまとめ）
以上、説明したように、本実施の形態では、キャリアアグリゲーションをサポートする移動通信システムにおいて基地局と通信を行うユーザ装置であって、前記ユーザ装置が、当該ユーザ装置において使用可能なバンドコンビネーションの能力情報に含まれる所定の能力値の合計値をサポートするか否かを判定する能力情報通知制御部と、前記能力情報通知制御部により、前記ユーザ装置が前記所定の能力値の合計値をサポートしないと判定された場合に、前記ユーザ装置がサポートする前記所定の能力値の最大値を前記能力情報に含め、当該最大値を含む能力情報を前記基地局に送信する送信部とを備えるユーザ装置が提供される。
【０１７４】
上記の構成により、キャリアアグリゲーションを行う移動通信システムにおいて、ユーザ装置がバンドコンビネーションの能力情報を基地局に通知する際に、当該ユーザ装置がサポートする所定の能力値の最大値を基地局に通知するか否かを適切に判定することが可能となる。
【０１７５】
前記能力情報通知制御部により、前記ユーザ装置が前記所定の能力値の合計値をサポートすると判定された場合に、前記送信部は前記最大値を含まない能力情報を前記基地局に送信することができる。この構成により、無駄なシグナリングを省くことが可能となる。
【０１７６】
前記能力情報通知制御部は、例えば、前記合計値と前記最大値とを比較し、前記合計値が前記最大値よりも大きい場合に、前記ユーザ装置が前記所定の能力値の合計値をサポートしないと判定し、前記合計値が前記最大値以下である場合に、前記ユーザ装置が前記所定の能力値の合計値をサポートすると判定する。この構成により、ユーザ装置が前記所定の能力値の合計値をサポートするか否かを適切に判断できる。
【０１７７】
前記能力情報通知制御部は、例えば、前記ユーザ装置がサポートするバンドコンビネーション毎に前記判定を行い、前記送信部は、前記ユーザ装置がサポートするバンドコンビネーション毎に前記最大値を能力情報に含めるか否かを決定する。この構成により、最大値の通知が必要なバンドコンビネーションのみに対して最大値を通知することができる。
【０１７８】
前記所定の能力値は、例えば、上りのＭＩＭＯレイヤ数、下りのＭＩＭＯレイヤ数、ＣＳＩプロセス数、又は下りのＭＩＭＯレイヤ数とＣＳＩプロセス数の総数である。この構成により、現状のＬＴＥにおいて規定されている上りのＭＩＭＯレイヤ数、下りのＭＩＭＯレイヤ数、ＣＳＩプロセス数、又は下りのＭＩＭＯレイヤ数とＣＳＩプロセス数の総数に対して本発明を適用できる。
【０１７９】
前記能力情報通知制御部は、例えば、前記バンドコンビネーションを構成するバンドのバンド幅クラスにより定まる最大コンポーネントキャリア数を、当該バンドにおける前記所定の能力値に掛けた値を、当該バンドにおける所定の能力値の合計値とする。この構成により、各バンドにおいて、コンポーネントキャリアに対する所定の能力値の合計値を適切に算出できる。
【０１８０】
前記所定の能力値は、例えば、下りのＭＩＭＯレイヤ数と第一の係数（α）とを乗算した値と、ＣＳＩプロセス数と第二の係数（β）とを乗算した値と、ＮＡＩＣＳ対応能力と第三の係数（γ）とを乗算した値を合計することで算出される。この構成により、基地局ｅＮＢは、下りのＭＩＭＯレイヤ数、ＣＳＩプロセス数及びＮＡＩＣＳ対応能力が加味された所定の能力値に基づいて、各ＣＣにおける下りＭＩＭＯレイヤ数、ＣＳＩプロセス数及びＮＡＩＣＳ対応有無を決定することができる。
【０１８１】
前記能力情報は、例えば、前記第一の係数と、前記第二の係数と、前記第三の係数とを含む。この構成により、例えば、ユーザ装置ＵＥの種別ごとに異なる値のα、β、γを基地局ｅＮＢに通知することができ、より適切にユーザ装置ＵＥの能力値を表現することができる。
【０１８２】
本実施の形態で説明したユーザ装置ＵＥは、ＣＰＵとメモリを備え、プログラムがＣＰＵ（プロセッサ）により実行されることで実現される構成であってもよいし、実施の形態で説明する処理のロジックを備えたハードウェア回路等のハードウェアで実現される構成であってもよいし、プログラムとハードウェアが混在していてもよい。
【０１８３】
本実施の形態で説明した基地局ｅＮＢは、ＣＰＵとメモリを備え、プログラムがＣＰＵ（プロセッサ）により実行されることで実現される構成であってもよいし、実施の形態で説明する処理のロジックを備えたハードウェア回路等のハードウェアで実現される構成であってもよいし、プログラムとハードウェアが混在していてもよい。
【０１８４】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１８５】
ＵＥ  ユーザ装置
ｅＮＢ  基地局
１０１  ＵＬ信号送信部
１０２  ＤＬ信号受信部
１０３  ＲＲＣ管理部
１０４  能力情報通知制御部
２０１  ＤＬ信号送信部
２０２  ＵＬ信号受信部
２０３  ＲＲＣ管理部
２０４  スケジューリング部
３０１  ＲＥモジュール
３０２  ＢＢ処理モジュール
３０３  装置制御モジュール
３０４  ＳＩＭスロット
４０１  ＲＥモジュール
４０２  ＢＢ処理モジュール
４０３  装置制御モジュール
４０４  通信ＩＦ
【図１】
2016197851.tif 000003
【図２】
2016197851.tif 000004
【図３】
2016197851.tif 000005
【図４】
2016197851.tif 000006
【図５】
2016197851.tif 000007
【図６】
2016197851.tif 000008
【図７】
2016197851.tif 000009
【図８】
2016197851.tif 000010
【図９】
2016197851.tif 000011
【図１０】
2016197851.tif 000012
【図１１】
2016197851.tif 000013
【図１２】
2016197851.tif 000014
【図１３】
2016197851.tif 000015
【図１４】
2016197851.tif 000016
【図１５】
2016197851.tif 000017
【図１６】
2016197851.tif 000018
【図１７】
2016197851.tif 000019
【図１８】
2016197851.tif 000020
【図１９】
2016197851.tif 000021
【図２０】
2016197851.tif 000022
【図２１】
2016197851.tif 000023
【図２２】
2016197851.tif 000024
【図２３】
2016197851.tif 000025
【図２４】
2016197851.tif 000026
【図２５】
2016197851.tif 000027
【図２６】
2016197851.tif 000028